(57)【特許請求の範囲】
【請求項１】
識別情報の変動表示に伴って遊技を進行させ、遊技の進行に基づき所定の演出を行う遊技機であって、
前記識別情報の変動表示の結果が特定結果になると、遊技者にとって有利な特定遊技を実行する特定遊技実行手段と、
前記識別情報の変動時間が所定の遊技状態よりも短い特定状態を設定可能な特定状態設定手段と、
遊技者が前記所定の演出における演出態様を設定可能な演出態様設定期間を発生する設定期間発生手段と、
を備え、
前記特定状態設定手段は、前記特定遊技の終了後に前記特定状態を設定可能であり、
前記設定期間発生手段は、
前記識別情報の変動表示中の所定期間に演出態様設定期間を発生可能であり、
前記特定遊技が開始してから該特定遊技が終了するまでの所定期間に前記演出態様設定期間を発生可能であり、
前記特定遊技が開始してから該特定遊技が終了するまでの所定期間に発生される前記演出態様設定期間は、前記特定状態における前記識別情報の最短の変動時間よりも長い
ことを特徴とする遊技機。
【発明の詳細な説明】
【技術分野】
【０００１】
本発明は、パチンコ機やアレンジボール機等の弾球式の遊技機に関する。
【背景技術】
【０００２】
従来、この種の遊技機としては、図柄の変動表示中に、変動表示画面の背景画像などの演出態様を遊技者が設定可能な遊技機が知られている。例えば、特許文献１の遊技機では、図柄の変動表示中の所定期間内に、遊技者の指示操作があれば、遊技者による演出態様の設定を可能とする。この特許文献１の遊技機では、図柄の変動表示は、上段図柄と中段図柄と下段図柄との３つの図柄を右から左へと変動させて、上段図柄、下段図柄、中段図柄の順に停止させることにより行われている。そして、変動表示中の所定期間内としては、３つの図柄が変動表示してから上段図柄が停止されるまでの期間内としている。
【先行技術文献】
【特許文献】
【０００３】
【特許文献１】特開２００６−１９８３８４号公報
【発明の概要】
【発明が解決しようとする課題】
【０００４】
ところで、このような遊技機においては、図柄の変動時間を短縮するいわゆる時短状態を発生させるものも広く知られている。その時短状態を発生させる遊技機において、図柄の変動表示中の所定期間内（例えば、変動表示時間全体の２／３の時間とする）に演出態様を設定可能としても、変動時間が短縮された時短状態では、所定期間がすぐに経過することになるから、実質的に演出態様の設定ができなくなる場合がある。また、変更できたとしても遊技者が所望する演出態様への設定をすることが困難となる場合がある。このように、演出態様を設定可能な機能を備えていても、その機能が十分に活用されない可能性がある。
【０００５】
本発明の遊技機は、演出態様を設定可能な機会を増やして遊技者の好みに応じた演出態様を設定し易くすることで、遊技興趣の向上を図ることを主目的とする。
【課題を解決するための手段】
【０００６】
本発明の遊技機は、上述の主目的を達成するために以下の手段を採った。
即ち、本発明の遊技機は、
識別情報の変動表示に伴って遊技を進行させ、遊技の進行に基づき所定の演出を行う遊技機であって、
前記識別情報の変動表示の結果が特定結果になると、遊技者にとって有利な特定遊技を実行する特定遊技実行手段と、
前記識別情報の変動時間が所定の遊技状態よりも短い特定状態を設定可能な特定状態設定手段と、
遊技者が前記所定の演出における演出態様を設定可能な演出態様設定期間を発生する設定期間発生手段と、
を備え、
前記特定状態設定手段は、前記特定遊技の終了後に前記特定状態を設定可能であり、
前記設定期間発生手段は、
前記識別情報の変動表示中の所定期間に演出態様設定期間を発生可能であり、
前記特定遊技が開始してから該特定遊技が終了するまでの所定期間に前記演出態様設定期間を発生可能であり、
前記特定遊技が開始してから該特定遊技が終了するまでの所定期間に発生される前記演出態様設定期間は、前記特定状態における前記識別情報の最短の変動時間よりも長い
ことを要旨とする。
【０００７】
また、本明細書において参考的に開示する参考発明の遊技機は、
識別情報の変動表示に伴って遊技を進行させ、遊技の進行に基づき所定の演出を行う遊技機であって、
前記識別情報の変動表示の結果が特定結果になると、遊技者にとって有利な特定遊技を実行する特定遊技実行手段と、
前記識別情報の変動時間が所定の遊技状態よりも短い特定状態を設定可能な特定状態設定手段と、
遊技者が前記所定の演出における演出態様を設定可能な演出態様設定期間を発生する設定期間発生手段と、
を備え、
前記特定状態設定手段は、前記特定遊技の終了後に前記特定状態を設定可能であり、
前記設定期間発生手段は、
前記識別情報の変動表示中の所定期間に演出態様設定期間を発生可能であり、
前記特定遊技の終了後に、所定時間以上の前記演出態様設定期間を発生させる
ことを特徴とする。
【０００８】
この参考発明の遊技機では、所定の遊技状態においては、識別情報の変動表示中の所定期間に演出態様設定期間を発生させ、変動時間が短くなる特定状態が開始される場合には、特定遊技終了後に所定時間以上の前記演出態様設定期間を発生させるから、遊技者が演出態様を設定可能となる機会を増やすことができる。
ここで、変動時間が短くされる特定状態（平均変動時間が通常よりも短い状態）においては、識別情報の変動表示中の所定期間に演出態様設定期間を発生させても、設定期間はほとんどなく、遊技者が演出態様を設定困難となる場合がある。すなわち、所望の演出態様に変更することが困難となる。本発明では、特定状態が実行される場合には、特定遊技終了後に所定時間以上の演出態様設定期間を発生させる。この所定時間以上の演出態様設定期間は、遊技者による演出態様の設定期間（変更期間）を十分確保可能な時間とする。具体的には、所定の遊技状態において変動表示中に設定される最短の演出態様設定期間よりは長い時間としたり、特定遊技状態における最短の変動時間よりも長い時間とすることができる。また、５秒以上や１０秒以上の期間などとすることができる。これにより、特定状態の開始に際して、遊技者による演出態様の確実な設定を可能とすることができる。また、特定状態において通常と異なる演出が行われる場合、演出態様を変更したいという遊技者の要求が高まることも考えられるから、そのような要求に対応することができる。この結果、遊技者の好みに応じた演出態様を設定し易くして、遊技興趣の向上を図ることができる。
ここで、「演出態様を設定」とは、異なる複数の演出態様から１の演出態様を選択し設定することをいい、変動表示される識別情報の背景に表示される背景画像の色や種類などを設定したり、識別情報の変動表示中に登場するキャラクタなどの種類を設定したり、識別情報の表示態様の種類を設定したり、識別情報の変動表示の結果を予告する予告態様の種類を設定したりすることができる。
【０００９】
また、参考発明の遊技機において、
前記識別情報の変動時間を設定する変動時間設定手段を備え、
前記設定期間発生手段は、前記特定遊技の終了後の所定回数目の前記識別情報の変動表示が行われることに基づいて、前記所定時間以上の演出態様設定期間を発生させ、
前記変動時間設定手段は、前記所定回数目の前記識別情報の変動表示における変動時間を前記所定時間以上に設定する
ものとすることもできる。
【００１０】
このようにすれば、特定状態が開始して所定回数目の識別情報の変動表示において、演出態様を設定するための所定時間以上の設定期間を設定するので、当該期間に設定を行った場合には、それ以降遊技者の好みに応じた演出態様で演出を行うことができる。また、識別情報の変動表示中に遊技球の検知に基づいて取得される取得情報を所定数を限度に記憶する遊技機においては、所定回数目の識別情報の変動表示を他の変動表示と比較して長い時間に設定するので、当該変動表示中に、記憶される取得情報（所謂保留数）を増やすことができる。
ここで、「所定回数目」の識別情報の変動表示としては、例えば、特定遊技終了後（特定状態開始後）の「１回目」とすることができる。このようにすれば、特定遊技終了直後（特定状態開始直後）に遊技者に演出態様を設定させることができるから、特定状態中の演出を遊技者の好みに応じた演出態様で行うことができる。あるいは、遊技球の検知に基づいて取得される取得情報を所定数を限度に記憶する遊技機においては、「所定回数」として、特定状態が開始されたときに記憶されている取得情報の数以下や限度である所定数以下などとすることができる。
【００１１】
また、参考発明の遊技機において、
前記設定期間発生手段は、前記識別情報の変動表示が行われていないときにおいて、遊技者からの所定指示に基づいて、前記演出態様設定期間を発生させる
ものとすることもできる。
【００１２】
このようにすれば、遊技者は、特定状態が実行されることに基づいて設定されるタイミングに加えて、遊技開始前や遊技中断中等の任意のタイミングで演出態様を設定することができるから、演出態様を設定可能な機会をさらに増やして、遊技者の好みに応じた演出態様をより設定し易くすることができる。
【００１３】
この態様の参考発明の遊技機において、
第１始動口と、
第１の態様と該第１の態様よりも遊技球の入球可能性が高い第２の態様とに変化可能な第２始動口と、
前記第２始動口への遊技球の入球頻度が所定の遊技状態よりも高い高頻度状態を発生させる高頻度状態発生手段と、
前記特定状態中に、前記開閉式始動口が前記第２の態様となる頻度を通常よりも高くする始動口態様制御手段と、
前記第１始動口に入球した遊技球の検知に基づいて取得される第１取得情報と、前記第２始動口に入球した遊技球の検知に基づいて取得される第２取得情報とを記憶する取得情報記憶手段と、
前記第１取得情報または前記第２取得情報に基づいて、前記識別情報を変動表示させる変動表示手段と、
を備え、
前記高頻度状態発生手段は、前記特定状態中に高頻度状態を発生させ、
前記第２取得情報に基づく前記識別情報の変動表示を、前記第１取得情報に基づく前記識別情報の変動表示に優先して実行可能で、
前記第２取得情報に基づいて前記特定遊技を実行する方が、前記第１取得情報に基づいて前記特定遊技を実行するよりも遊技者にとって有利である
ものとすることもできる。
【００１４】
このようにした場合、特定状態では、第２始動口への遊技球の入球頻度が高くなるから、第２取得情報に基づく遊技を主体として遊技を進行させることになる。一方で、識別情報の変動時間の短い特定状態においては、識別情報の変動表示中の所定期間内に演出態様を設定困難であるため、遊技者は遊技を一旦中断して演出態様を設定することも考えられる。そのためには、変動表示待ちの第１取得情報と第２取得情報とがなくなるまで、第１取得情報に基づく識別情報の変動表示と、第２取得情報に基づく識別情報の変動表示とを行う必要があるため、変動表示待ちの第１取得情報がある場合には、第１取得情報に基づく遊技が行われて遊技者に不利益が生じる場合がある。
これに対して、本発明では、特定状態が開始されてから所定時間以上の演出態様設定期間を別途発生させて演出態様の設定を可能とするから、特定状態中に、演出態様を設定するために第１取得情報に基づく識別情報を変動表示させる必要がない。このため、特定状態中に第１取得情報に基づいて特定遊技が実行されて遊技者に不利益が生じるのを抑制して、遊技興趣が損なわれるのを防止することができる。
【発明の効果】
【００１５】
本発明の遊技機によれば、演出態様を設定可能な機会を増やして遊技者の好みに応じた演出態様を設定し易くすることで、遊技興趣の向上を図ることができる。
【図面の簡単な説明】
【００１６】
【図１】本発明のパチンコ機１０の外観を示す外観斜視図である。
【図２】パチンコ機１０の遊技盤３０の構成の概略を示す構成図である。
【図３】パチンコ機１０の制御回路の構成を示すブロック図である。
【図４】図柄表示装置４０の構成を説明する説明図である。
【図５】普通図柄表示装置４１の表示態様の一例を示す説明図である。
【図６】特別図柄表示装置４２の大当り図柄の一例を示す説明図である。
【図７】演出表示装置３４の画面構成を説明する説明図である。
【図８】サブ制御基板９０の構成の概略を示すブロック図である。
【図９】主制御基板７０のＣＰＵ７０ａにより実行される主制御処理の一例を示すフローチャートである。
【図１０】主制御基板７０のＣＰＵ７０ａにより実行される特別図柄遊技処理の一例を示すフローチャートである。
【図１１】主制御基板７０のＣＰＵ７０ａにより実行される特別図柄遊技処理の一例を示すフローチャートである。
【図１２】主制御基板７０のＣＰＵ７０ａにより実行される特別図柄遊技処理の一例を示すフロチャートである。
【図１３】主制御基板７０のＣＰＵ７０ａにより実行される特別図柄の変動表示関連処理の一例を示すフローチャートである。
【図１４】大当り判定テーブルの一例を示す説明図である。
【図１５】第１特別図柄の大当り図柄決定テーブルの一例を示す説明図である。
【図１６】第２特別図柄の大当り図柄決定テーブルの一例を示す説明図である。
【図１７】主制御基板７０のＣＰＵ７０ａにより実行される変動パターンテーブル設定処理の一例を示すフローチャートである。
【図１８】電サポなし状態用の変動パターンテーブルの一例を示す説明図である。
【図１９】電サポあり状態用の変動パターンテーブルの一例を示す説明図である。
【図２０】演出モード設定用の変動パターンテーブルの一例を示す説明図である。
【図２１】主制御基板７０のＣＰＵ７０ａにより実行される大当り遊技処理の一例を示すフローチャートである。
【図２２】主制御基板７０のＣＰＵ７０ａにより実行される大当り遊技終了時処理の一例を示すフローチャートである。
【図２３】サブ制御基板９０のＣＰＵ９０ａにより実行される演出制御処理の一例を示すフローチャートである。
【図２４】サブ制御基板９０のＣＰＵ９０ａにより実行されるデモ演出処理の一例を示すフローチャートである。
【図２５】サブ制御基板９０のＣＰＵ９０ａにより実行されるデモ演出中の演出モード設定処理の一例を示すフローチャートである。
【図２６】演出モードの内容の一例を示す説明図である。
【図２７】デモ演出中に演出表示装置３４に演出モード設定画像が表示される様子を示す説明図である。
【図２８】サブ制御基板９０のＣＰＵ９０ａにより実行される図柄変動演出処理の一例を示すフローチャートである。
【図２９】サブ制御基板９０のＣＰＵ９０ａにより実行される予告演出処理の一例を示すフローチャートである。
【図３０】サブ制御基板９０のＣＰＵ９０ａにより実行される遊技中の演出モード設定処理の一例を示すフローチャートである。
【図３１】図柄変動演出中に演出表示装置３４に演出モード設定画像が表示される様子を示す説明図である。
【図３２】変形例の大当り遊技演出処理を示すフローチャートである。
【発明を実施するための形態】
【００１７】
次に、本発明の実施の形態を実施例を用いて説明する。なお、以下では、特別図柄の変動表示の終了に伴い大当り図柄が停止表示され、これを契機に大当り遊技が開始されるタイプ（いわゆるセブン機タイプ）のパチンコ機に本発明を適用した例を説明する。
【実施例】
【００１８】
図１は本発明のパチンコ機１０（遊技機）の外観を示す外観斜視図であり、図２はパチンコ機１０の遊技盤３０の構成の概略を示す構成図であり、図３はパチンコ機１０の制御回路の構成の概略を示すブロック図である。
【００１９】
［パチンコ機１０の全体構成］
本実施例のパチンコ機１０は、図１に示すように、前面枠１１に嵌め込まれたガラス板１２（透明板）を介して盤面が視認可能に配置された遊技盤３０（図２参照）と、遊技球を貯留する上受け皿１４および下受け皿１６と、上受け皿１４に貯留されている遊技球を遊技盤３０へ発射するための発射ハンドル１８と、を備える。
【００２０】
前面枠１１は、本体枠２１に嵌め込まれており、左辺を回動軸として本体枠２１に対して回動できるようになっている。本体枠２１は、外枠２２に嵌め込まれており、左辺を回動軸として外枠２２に対して回動できるようになっている。なお、前面枠１１と本体枠２１は、略長方形状のプラスティック製の枠体として構成されている。また、外枠２２は、略長方形状の木製の枠体として構成されており、パチンコホールの島設備の島枠に固定される。
【００２１】
また、前面枠１１の左上部と右上部には、遊技の進行に伴って種々の効果音を鳴らしたり遊技者に遊技状態を報知したりするためのスピーカ２８ａ，２８ｂが設けられており、右端部には、前面枠１１を本体枠２１に対して施錠するための施錠装置２９が設けられている。また、前面枠１１の左側には、図示しないプリペイドカード式の球貸装置（ＣＲユニット）が設けられている。
【００２２】
上受け皿１４は、その上面部に、ＣＲユニットに挿入されたカードの価値残高（有価残高）の範囲内で遊技球の貸し出しを指示するための球貸ボタン２４ａと、ＣＲユニットに挿入されているカードの返却を指示するための返却ボタン２４ｂとが配設されている。また、上受け皿１４は、その上面中央部には、遊技者の操作に応じて各種演出を行うための演出ボタン２６と、左右の方向ボタン２６ａ，２６ｂとが配設されている。
【００２３】
発射ハンドル１８は、前面枠１１の右下部に設けられており、遊技者がハンドルに触れていることを検知するタッチセンサ１８ａ（図３参照）や遊技球の発射を一時的に停止する発射停止スイッチ１８ｂ（図３参照）が設けられている。発射ハンドル１８の回転軸には、上受け皿１４に貯留されている遊技球を１球ずつ打ち出すための図示しない発射装置が接続されており、発射ハンドル１８が回転操作されると、発射装置が備える発射モータ１９（図３参照）が回転し、これに伴って発射ハンドル１８の操作量に応じた強さの打撃力で遊技球を打ち出す。
【００２４】
［遊技盤３０の構成］
遊技盤３０は、図２に示すように、外レール３１ａと内レール３１ｂとによって囲まれる遊技領域３１が形成されている。この遊技盤３０は、遊技領域３１の左部に配置され遊技球の通過を検知するゲートスイッチ３２ａ（図３参照）を有する普通図柄作動ゲート３２と、遊技領域３１の右下部に配置された図柄表示装置４０と、遊技領域３１の中央部に配置された演出表示装置３４と、演出表示装置３４の周囲に配置されたセンター役物４９と、センター役物４９の下側に配置され遊技球の入球を検知する第１始動口スイッチ３６ａ（図３参照）を有する第１始動口３６と、センター役物４９の左部に形成され遊技球の入球を検知する第２始動口スイッチ３８ａ（図３参照）を有する第２始動口３８と、遊技領域３１の右下部に開閉可能に配置され遊技球の入球を検知する大入賞口スイッチ４４ａ（図３参照）を有する大入賞口４４と、遊技領域３１の左下部に配置され一般入賞口スイッチ４５ａ（図３参照）を有する一般入賞口４５と、いずれの入賞口にも入らなかった遊技球を回収するためのアウト口４６と、を備える。また、遊技盤３０は、この他に、普通図柄作動ゲート３２の下側には風車４７が設けられ、上述した各入賞口の周辺には遊技球をガイドしたり弾いたりする図示しない多数の釘が設けられている。
【００２５】
第２始動口３８は、普通電動役物として設けられる可変式の入球口であり、翼片部３８ｃと、翼片部３８ｃを作動させる第２始動口ソレノイド３８ｂ（図３参照）と、を備える。この第２始動口３８は、翼片部３８ｃが直立しているときには遊技球の入球の可能性が比較的低い通常状態となり（図２の点線参照）、翼片部３８ｃが左側に開いているときには遊技球の入球の可能性が通常状態よりも高い開放状態となる（図２の実線参照）。なお、本実施例では、翼片部３８ｃが直立した通常状態においては、第２始動口３８への遊技球の入球が不可能となるように構成されている。
【００２６】
大入賞口４４は、特別電動役物として設けられる可変式の入球口であり、開閉板４４ｃと、開閉板４４ｃを作動させる大入賞口ソレノイド４４ｂ（図３参照）と、を備える。この大入賞口４４は、通常は開閉板４４ｃによって塞がれて遊技球を受け入れない閉状態（閉鎖状態）とされており、大当り遊技（特定遊技）のときに、大入賞口ソレノイド４４ｂ（図３参照）によって開閉板４４ｃが作動して手前側に開くことで、遊技球を受け入れやすい開状態（開放状態）となる。大入賞口４４には、遊技球の入球を検知すると共にその入球数をカウントするための大入賞口スイッチ４４ａ（図３参照）が取り付けられている。本実施例では、大当り遊技の処理として、大入賞口スイッチ４４ａが遊技球の入球を１０個カウントするか１０個カウントする前に所定時間（例えば、２５秒）が経過するまでを１ラウンドとして大入賞口４４を開放し、規定ラウンドまで大入賞口４４の開放動作を繰り返す。なお、各ラウンドの間には、所定時間（例えば、２秒間）だけ大入賞口４４を閉状態とする。
【００２７】
図柄表示装置４０は、図４の構成図に例示するように、普通図柄の変動表示および停止表示が可能な普通図柄表示装置４１と、特別図柄の変動表示および停止表示が可能な特別図柄表示装置４２と、大当り遊技の規定ラウンド数（最大ラウンド数）を示す図柄を表示するラウンド表示装置４３と、を備える。普通図柄表示装置４１は、発光ダイオード（ＬＥＤ）を用いて構成された左普通図柄表示部４１ａおよび右普通図柄表示部４１ｂを備える。図５に、普通図柄表示装置４１の表示態様の一例を示す。普通図柄表示装置４１は、図示するように、左普通図柄表示部４１ａと右普通図柄表示部４１ｂとが共に消灯した表示態様（上から１段目参照）と、左普通図柄表示部４１ａが点灯し右普通図柄表示部４１ｂが消灯した表示態様（上から２段目参照）と、左普通図柄表示部４１ａが消灯し右普通図柄表示部４１ｂが点灯した表示態様（上から３段目参照）と、左普通図柄表示部４１ａと右普通図柄表示部４１ｂとが共に点灯した表示態様（上から４段目参照）の４通りの表示態様がある。普通図柄表示装置４１は、遊技球が普通図柄作動ゲート３２を通過するのを検知したときに、４通りの表示態様を順次切り替えることにより普通図柄を変動表示させ、変動表示の実行時間（変動時間）が経過すると、上記表示態様のうちのいずれかの表示態様で普通図柄を停止表示させる。このとき、停止表示された普通図柄の表示態様が特定の表示態様（例えば、上から４段目に示す表示態様）であるときに、当りとして第２始動口３８を一定時間（例えば、０．５秒）に亘って開放する。なお、普通図柄の変動表示中に、遊技球が普通図柄作動ゲート３２を通過したときには、普通図柄の変動表示を最大４回まで保留し、現在の変動表示が終了したときに、保留されている変動表示が順次消化される。
【００２８】
特別図柄表示装置４２は、図４に示すように、７セグメント表示器を用いて構成された第１特別図柄表示部４２ａと第２特別図柄表示部４２ｂとを備えており、各セグメントの点灯と消灯との組み合わせにより複数通りの表示態様（最大１２８通り）を表現している。特別図柄表示装置４２は、第１始動口３６か第２始動口３８のいずれかの入球が検知されたときに、第１特別図柄表示部４２ａと第２特別図柄表示部４２ｂのうち対応する特別図柄表示部の表示状態を順次切り替えることにより特別図柄を変動表示させ、変動表示の実行時間（変動時間）が経過すると、表現可能な表示態様のうちのいずれかの表示態様で特別図柄を停止表示させる。このとき、停止表示された特別図柄の表示態様が特定の表示態様（当り特別図柄）である場合に、大当りとなる。本実施例では、第１特別図柄表示部４２ａが第１始動口３６への遊技球の入球に基づき特別図柄を変動表示させる表示部となっており、第２特別図柄表示部４２ｂが第２始動口３８への遊技球の入球に基づき特別図柄を変動表示させる表示部となっている。以下、特に、第１特別図柄表示部４２ａで表示される特別図柄を第１特別図柄（特図１）とも呼び、第２特別図柄表示部４２ｂで表示される特別図柄を第２特別図柄（特図２）とも呼ぶ。図６に、大当り時における特別図柄表示装置４２の表示態様の一例を示す。図示するように、第１の通常大当りとなる特別図柄（第１の通常大当り図柄）は、第１特別図柄表示部４２ａにおける右上，右下，左下の縦棒セグメントが点灯する表示態様と、第２特別図柄表示部４２ｂにおける中段の横棒セグメントと右上および左下の縦棒セグメントが点灯する表示態様とがある（上から１段目参照）。また、第１の確変大当りとなる特別図柄（第１の確変大当り図柄）は、第１特別図柄表示部４２ａにおける上段の横棒セグメントと右下および左下の縦棒セグメントとが点灯する表示態様と、第２特別図柄表示部４２ｂにおける上段の横棒セグメントと左上および左下の縦棒セグメントとが点灯する表示態様とがある（上から２段目参照）。また、第２の確変大当りとなる特別図柄（第２の確変大当り図柄）は、第１特別図柄表示部４２ａにおける上段の横棒セグメントと右下の縦棒セグメントとが点灯する表示態様と、第２特別図柄表示部４２ｂにおける上段および下段の横棒セグメントと左下の縦棒セグメントとが点灯する表示態様とがある（上から３段目参照）。なお、大当り時における特別図柄の表示態様は、上記態様に限られることはなく、如何なる態様で表示するものとしてもよいし、大当り時における特別図柄の表示態様の種類も１種類に限られず、複数種類用意するものとしてもよい。特別図柄の変動表示中に、遊技球が第１始動口３６に入球したときには、第１特別図柄の変動表示を最大４回まで保留し、遊技球が第２始動口３８に入球したときには、第２特別図柄の変動表示を最大４回まで保留する。そして、現在の変動表示が終了したときに、保留されている特別図柄の変動表示が順次消化される。なお、後述するが、第１特別図柄の変動表示の保留数は第１保留図柄３５ａによって表示され、第２特別図柄の変動表示の保留数は第２保留図柄３５ｂによって表示される。
【００２９】
ここで、第１の通常大当りは、大入賞口４４の開放動作が所定ラウンド数（例えば、１６ラウンド）に亘って繰り返される大当り遊技（特定遊技）が行われると共に、大当り遊技の終了後には、特別図柄の当否判定の結果が大当りとなる確率（特図当り確率）を低確率状態に設定し、所定回数（例えば、１００回）の特別図柄の変動表示が行われるまで、特別図柄および普通図柄の変動時間が短縮されると共に普通図柄の当否判定の結果が当りとなる確率（普図当り確率）が低確率状態よりも高くなり且つ普通図柄が当りで停止表示されたときに第２始動口３８の開放時間が延長される電サポあり状態を設定する大当り態様（大当り遊技後に低確率電サポあり状態を設定する大当り態様）である。また、第１の確変大当りは、大入賞口４４の開放動作が所定ラウンド数（例えば、１６ラウンド）に亘って繰り返される大当り遊技が行われると共に、大当り遊技の終了後には、所定回数（例えば、１０，０００回）の特別図柄の変動表示が行われるまで、特図当り確率が低確率状態よりも高くなる高確率状態に設定し、特別図柄および普通図柄の変動時間が短縮されると共に普図当り確率が低確率状態よりも高くなり且つ電サポあり状態を設定する大当り態様（大当り遊技後に高確率電サポあり状態を設定する大当り態様）である。また、第２の確変大当りは、大入賞口４４の開放動作が所定ラウンド数よりも少ないラウンド数（例えば、５ラウンド）に亘って繰り返される大当り遊技が行われると共に、大当り遊技の終了後には、第１の確変大当りと同様に、高確率電サポあり状態を設定する大当り態様）である。以下、特図当り確率が低確率状態にある遊技状態を特図低確率状態とも呼び、特図当り確率が高確率状態にある遊技状態を特図高確率状態とも呼ぶ。また、普図当り確率が低確率状態にある遊技状態を普図低確率状態とも呼び、普図当り確率が高確率状態にある遊技状態を普図高確率状態とも呼ぶ。さらに、特別図柄および普通図柄の変動時間が短縮される遊技状態を時短状態とも呼び、第２始動口３８の開放時間が延長される遊技状態を開放延長状態とも呼ぶ。なお、本実施例では、電サポあり状態は、普図高確率状態と時短状態と開放延長状態の３つの状態が全て発生した状態としたが、３つの状態のうちいずれか１つまたは２つが発生した状態としてもよい。
【００３０】
演出表示装置３４は、液晶ディスプレイなどの表示装置として構成されており、表示画面上で演出図柄の変動表示やリーチ演出や予告演出などの様々な演出表示が行われる。本実施例の演出表示装置３４は、図７に例示する画面構成に示すように、横方向に並んで配置されキャラクタや数字により構成される左，中，右の３つの演出図柄（疑似特別図柄）３４Ｌ，３４Ｍ，３４Ｒと、図示しない背景図柄とを有している。この演出表示装置３４は、遊技球が第１始動口３６に入球した場合と、遊技球が第２始動口３８に入球した場合に、３つの演出図柄３４Ｌ，３４Ｍ，３４Ｒを変動表示させる。演出図柄３４Ｌ，３４Ｍ，３４Ｒは、変動表示が開始されると、それぞれ上から下に向かって高速でスクロールするように変動表示され、左の演出図柄３４Ｌ，右の演出図柄３４Ｒ，中の演出図柄３４Ｍの順に停止表示される。このとき、左の演出図柄３４Ｌと右の演出図柄３４Ｒとが一致しなかったときにはリーチなしの単純な外れとなり、左の演出図柄３４Ｌと右の演出図柄３４Ｒとが一致したときにはリーチとなる。そして、所定のリーチ演出を伴って中の演出図柄３４Ｍが停止したときに、中の演出図柄３４Ｍと左右の演出図柄３４Ｌ，３４Ｒとが一致しなかったときにはリーチありの外れとなり、中の演出図柄３４Ｍと左右の演出図柄３４Ｌ，３４Ｒとが一致したときに大当りとなる。また、この演出表示装置３４で表示される演出図柄の当否の結果は、基本的には、上述した特別図柄表示装置４２により表示される特別図柄（第１特別図柄，第２特別図柄）の当否の結果と対応する。
【００３１】
また、本実施例では、演出表示装置３４の表示画面内に第１保留図柄３５ａと第２保留図柄３５ｂも表示されている。第１保留図柄３５ａは、第１特別図柄または第２特別図柄の変動表示中に第１始動口３６に遊技球が入球するごとに左側から順に一つずつ表示され、第１特別図柄の変動表示が開始されるごとに始動入球時とは逆の順に消去される。第２保留図柄３５ｂも、第１特別図柄または第２特別図柄の変動表示中に第２始動口３８に遊技球が入球するごとに左側から順に一つずつ表示され、第２特別図柄の変動表示が開始されるごとに始動入球時とは逆の順に消去される。
【００３２】
こうして構成された実施例のパチンコ機１０では、第１始動口３６が演出表示装置３４（センター役物４９）の下側に配置されており、大当り遊技でない通常遊技のときに、遊技者は遊技球を遊技領域３１の左側（演出表示装置３４の左側領域）に流下させるように発射ハンドル１８を回転操作（所謂左打ち）することにより、遊技球を第１始動口３６に入球させることができる。また、普通図柄作動ゲート３２および第２始動口３８が演出表示装置３４の左側に配置されており、遊技者は左打ちをすることにより、遊技球を普通図柄作動ゲート３２に通過させることができ、普通図柄が当りとなって第２始動口３８が開放すると、遊技者は左打ちを継続することにより、遊技球を第２始動口３８に入球させることができる。さらに、大入賞口４４が遊技領域３１の右下部に配置されており、大当り遊技が開始されると、遊技者は発射ハンドル１８を最大限右回転させて遊技球を発射させる所謂右打ちすることにより、遊技球を遊技領域３１の右側（演出表示装置３４の右側領域）に流下させて、開状態となった大入賞口４４に入球させることができる。
【００３３】
［制御回路の構成］
次に、実施例のパチンコ機１０の制御回路の構成について主として図３を参照しながら説明する。パチンコ機１０の制御回路は、図３に示すように、遊技の基本的な進行の制御を司る主制御基板７０と、賞球や球貸の払い出しに関する制御を司る払出制御基板８０と、遊技の進行に伴って行われる各種演出の全体的な制御を司るサブ制御基板９０と、遊技球の発射に関する制御を司る発射制御基板１００などの制御基板により構成されている。これらの制御基板は、各種論理演算や算出演算を実行するＣＰＵや、ＣＰＵで実行される各種プログラムやデータが記憶されているＲＯＭ，プログラムの実行に際してデータを一時的に記憶するＲＡＭ，各種制御に必要な時間を計るタイマ（システムタイマ），周辺機器との間でデータをやり取りするための周辺機器インターフェース（ＰＩＯ），ＣＰＵが演算を行うためのクロックを出力する発振器，ＣＰＵの暴走を監視するウォッチドッグタイマ，定期的に割り込み信号を発生させるＣＴＣ（カウンター・タイマー・サーキット）などの種々の周辺ＬＳＩがバスにより相互に接続されている。なお、図３では、各制御基板に搭載された各種デバイスのうち主制御基板７０のＣＰＵ７０ａ，ＲＯＭ７０ｂ，ＲＡＭ７０ｃのみを図示し、その他については図示を省略した。また、制御回路の一部をなすサブ制御基板９０の構成の概略を示すブロック図を図８に示す。
【００３４】
主制御基板７０は、遊技の基本的な進行の制御を行うために必要な信号として、図３に示すように、第１始動口スイッチ３６ａからの入球信号や第２始動口スイッチ３８ａからの入球信号が直接に入力されると共にゲートスイッチ３２ａからの通過信号や大入賞口スイッチ４４ａからの入球信号，一般入賞口スイッチ４５ａからの入球信号などが中継端子板７２を介して入力されている。主制御基板７０からは、図柄表示装置４０の表示制御を司る図柄表示基板４０ａへの制御信号や第２始動口ソレノイド３８ｂへの駆動信号，大入賞口ソレノイド４４ｂへの駆動信号などが中継端子板７２を介して出力されている。また、主制御基板７０は、払出制御基板８０やサブ制御基板９０，発射制御基板１００（払出制御基板８０を介して通信）と通信しており、各種指令信号（コマンドや駆動信号など）やデータのやり取りを行っている。
【００３５】
払出制御基板８０は、賞球や球貸の払い出しに関する制御を行うために必要な信号として、図３に示すように、前面枠１１の開放を検知する枠開放スイッチ８１からの検知信号が直接に入力され、球貸ボタン２４ａや返却ボタン２４ｂからの操作信号が球貸表示基板８２，中継端子板８３を介して入力され、賞球の払い出しを検知する払出前スイッチ８４および払出後スイッチ８５からの検知信号が中継端子板８７を介して入力されている。払出制御基板８０からは、賞球の払い出しを行う払出モータ８６への駆動信号などが中継端子板８７を介して出力されている。また、払出制御基板８０は、主制御基板７０や発射制御基板１００と通信しており、各種指令信号やデータのやり取りを行っている。
【００３６】
サブ制御基板９０は、図８に示すように、ＣＰＵ９０ａやＲＯＭ９０ｂ，ＲＡＭ９０ｃなどを備えており、主制御基板７０から各種指令信号を受信してその指令に応じた遊技の演出を行う。サブ制御基板９０は、演出表示装置３４の制御を行う演出表示制御基板９１や各種スピーカ２８ａ，２８ｂを駆動するアンプ基板９２、センター役物４９などに内蔵するＬＥＤ９３ａを駆動したりセンター役物４９内の可動役物を動作させるための装飾モータ９３ｂを駆動したりする装飾駆動基板９３、演出ボタン２６に設けられ演出ボタン２６の操作を検知する演出ボタン操作検知スイッチ２７からの操作信号や方向ボタン２６ａ，２６ｂに設けられ方向ボタン２６ａ，２６ｂの操作を検知する方向ボタン操作検知スイッチ２７ａ，２７ｂからの操作信号を入力する演出ボタン基板９４などが接続されている。
【００３７】
発射制御基板１００は、タッチセンサ１８ａからの検知信号や発射停止スイッチ１８ｂからの操作信号，下受け皿１６に遊技球が満タン状態となるのを検知する下受け皿満タンスイッチ１０２からの検知信号などを入力しており、発射モータ１９へ駆動用のパルス信号などを出力している。発射制御基板１００は、発射ハンドル１８が回転操作されてタッチセンサ１８ａがオンで発射停止スイッチ１８ｂがオフで下受け皿満タンスイッチ１０２がオフのときに発射モータ１９を駆動して遊技球を発射し、タッチセンサ１８ａがオフか発射停止スイッチ１８ｂがオンか下受け皿満タンスイッチ１０２がオンかのいずれかが成立したときに発射モータ１９の駆動を停止して遊技球の発射を停止する。また、発射制御基板１００は、払出制御基板８０を介して主制御基板７０と通信しており、タッチセンサ１８ａからの検知信号などの発射ハンドル１８の操作状態に関するデータを払出制御基板８０を介して主制御基板７０に送信する。
【００３８】
［主制御処理］
次に、こうして構成された実施例のパチンコ機１０の動作について説明する。図９は、主制御基板７０のＣＰＵ７０ａにより実行される主制御処理の一例を示すフローチャートである。この処理は、パチンコ機１０の電源が投入されたときに実行される。主制御処理は、初期化処理などの電源投入に必要な電源投入処理を実行した後（Ｓ１００）、遊技開始処理（Ｓ１１０）と、普通図柄遊技処理（Ｓ１２０）と、普通図柄当り遊技処理（Ｓ１３０）と、特別図柄遊技処理（Ｓ１４０）と、大当り遊技処理（Ｓ１５０）とを繰り返し実行することにより行われる。なお、本実施例では、Ｓ１１０〜Ｓ１５０の処理に要する時間は約４ｍｓｅｃとなっているため、これらの処理は約４ｍｓｅｃの間隔で繰り返し実行されることになる。主制御基板７０は、これらの処理の実行に伴って、各種コマンドを担当する制御基板に送信してコマンドに応じた処理を実行させることにより、パチンコ機１０の全体の遊技を進行させている。
【００３９】
［遊技開始処理］
Ｓ１１０の遊技開始処理では、主制御基板７０のＣＰＵ７０ａは、まず、各種センサ（ゲートスイッチ３２ａや第１始動口スイッチ３６ａ，第２始動口スイッチ３８ａ，大入賞口スイッチ４４ａ，一般入賞口スイッチ４５ａなど）の状態を検出してＲＡＭ７０ｃの所定の状態記憶領域に保存したり、各種判定用情報（後述する大当り判定用乱数や大当り図柄決定用乱数，リーチ用乱数，変動パターン決定用乱数、普通図柄当否判定用乱数など）を更新したりする。続いて、遊技球の入球に関わるスイッチ（第１始動口スイッチ３６ａや第２始動口スイッチ３８ａ，大入賞口スイッチ４４ａ，一般入賞口スイッチ４５ａなど）により遊技球が検知されたか否かを判定し、検知されたと判定すると、払い出すべき賞球数を演算して賞球情報としてＲＡＭ７０ｃの所定の賞球情報記憶領域に保存し、賞球情報が値０でないときには賞球数指定コマンド（賞球情報）を払出制御基板８０に送信して遊技開始処理を終了する。払出制御基板８０は、賞球数指定コマンドを受信すると、払出モータ８６を駆動制御して遊技球を１球ずつ払い出すと共に払出前スイッチ８４および払出後スイッチ８５により払い出した遊技球が検知される度に賞球情報（未払いの遊技球数）を値１ずつデクリメントする賞球払出処理を実行する。この賞球払出処理は、賞球情報が値０となるまで繰り返し実行されるが、遊技球の入球が検知されて主制御基板７０から新たな賞球数指定コマンドを受信すると、その賞球情報も値０となるまで処理が繰り返される。遊技開始処理が終了すると、主制御処理に戻って次のＳ１２０の普通図柄遊技処理に進む。
【００４０】
［普通図柄遊技処理］
Ｓ１２０の普通図柄遊技処理では、主制御基板７０のＣＰＵ７０ａは、まず、普通図柄の保留が値０でない即ち値１以上あるか否かを判定し、保留が値１以上あるときには保留数を値１だけデクリメントして普通図柄の当否判定を行うと共に当否判定の結果に基づいて停止表示させる普通図柄（図５参照）を決定する。普通図柄の当否判定は、普通図柄作動ゲート３２を遊技球が通過することに基づき取得される普通図柄当否判定用乱数と、普通図柄当り判定テーブルを用いて行われるもので、電サポなし状態にあるときには当り確率の低い（例えば、約０．８％）低確率用の普通図柄当り判定テーブルが用いられ、電サポあり状態にあるときには当り確率の高い（例えば、約９９．２％）高確率用の普通図柄当り判定テーブルが用いられる。また、当否判定の結果が当りのときには、当り図柄を停止表示させる図柄に決定し、当否判定の結果が外れのときには、外れ図柄のうちのいずれかを停止表示させる図柄に決定する。そして、普通図柄の変動時間を設定して普通図柄の変動表示を開始し、変動時間が経過するのを待つ。変動時間の設定は、電サポなし状態にあるときには長時間（例えば、３０秒）に設定され、電サポあり状態にあるときには短時間（例えば、１秒）に短縮される。変動時間が経過すると、決定した図柄で普通図柄を停止表示し、停止表示した図柄が当り図柄のときには、第２始動口３８の開放時間を設定し、第２始動口３８の開放を開始して普通図柄遊技処理を一旦終了し、停止表示した図柄が外れ図柄のときには、何もせずに普通図柄遊技処理を終了する。第２始動口３８の開放時間は、電サポなし状態にあるときには短時間（例えば０．５秒）に設定され、電サポあり状態にあるときには長時間（例えば５秒）に延長される。また、第２始動口３８の開放は、上述したように、第２始動口ソレノイド３８ｂを駆動制御することによって、翼片部３８ｃを左に開くことにより行う。普通図柄遊技処理を終了すると、主制御処理に戻って次のＳ１３０の普通図柄当り遊技処理に進む。
【００４１】
［普通図柄当り遊技処理］
Ｓ１３０の普通図柄当り遊技処理では、主制御基板７０のＣＰＵ７０ａは、第２始動口３８が開放を開始してからの経過時間（開放経過時間）が普通図柄遊技処理で設定された設定時間に達しているか否か、規定数（例えば、８個）の遊技球が第２始動口３８に入球しているか否かを判定する。開放経過時間が設定時間に達しておらず規定数の遊技球が第２始動口３８に入球してもいないと判定すると、第２始動口３８の開放を維持したまま普通図柄当り遊技処理を一旦終了する。一方、開放経過時間が設定時間に達していると判定したり、開放経過時間が設定時間に達する前であっても既に規定数の遊技球が第２始動口３８に入球していると判定すると、第２始動口ソレノイド３８ｂの駆動を停止して、普通図柄当り遊技処理を終了する。普通図柄当り遊技処理を終了すると、主制御処理に戻って次のＳ１４０の特別図柄遊技処理に進む。
【００４２】
［特別図柄遊技処理］
Ｓ１４０の特別図柄遊技処理は、図１０〜図１２に示すフローチャートに従って実行される。特別図柄遊技処理が実行されると、主制御基板７０のＣＰＵ７０ａは、まず、第１始動口スイッチ３６ａからの検知信号を入力して第１始動口３６に遊技球が入球したか否かを判定する（Ｓ２００）。第１始動口３６に遊技球が入球したと判定すると、現在の第１特別図柄の保留数がその上限値（本実施例では、値４）よりも少ないか否かを判定する（Ｓ２０２）。第１特別図柄の保留数が上限値よりも少ないと判定したときには、第１特別図柄の保留数を値１だけインクリメントすると共に（Ｓ２０４）、判定用情報を取得してＲＡＭ７０ｃの所定の判定用情報記憶領域に格納し（Ｓ２０６）、第１特別図柄保留発生時コマンドをサブ制御基板９０に送信する（Ｓ２０８）。ここで、Ｓ２０６で取得される判定用情報としては、第１始動口３６への遊技球の入球に基づいて行われる大当り判定の際に用いられる大当り判定用乱数や、大当り判定の結果が大当りのときに第１特別図柄表示部４２ａに停止表示させる大当り図柄を決定するための大当り図柄決定用乱数，第１特別図柄の変動パターンを決定するための変動パターン決定用乱数などの情報が例示できる。また、第１特別図柄保留発生時コマンドには、保留数を演出表示装置３４の表示画面内の第１保留図柄３５ａで表示するための第１特別図柄の保留数指定コマンドが含まれる。なお、Ｓ２００で第１始動口３６に遊技球が入球していないと判定したり、Ｓ２０２で第１特別図柄の保留数が上限値に達していると判定すると、Ｓ２０４〜Ｓ２０８の処理をスキップして次のＳ２１０の処理に進む。
【００４３】
続いて、第２始動口スイッチ３８ａからの検知信号を入力して第２始動口３８に遊技球が入球したか否かを判定する（Ｓ２１０）。第２始動口３８に遊技球が入球したと判定すると、現在の第２特別図柄の保留数がその上限値（本実施例では、値４）よりも少ないか否かを判定する（Ｓ２１２）。第２特別図柄の保留数が上限値よりも少ないと判定したときには、第２特別図柄の保留数を値１だけインクリメントすると共に（Ｓ２１４）、判定用情報を取得してＲＡＭ７０ｃの所定の判定用情報記憶領域に格納し（Ｓ２１６）、第２特別図柄保留発生時コマンドをサブ制御基板９０に送信する（Ｓ２１８）。ここで、Ｓ２１６で取得される判定用情報としては、第２始動口３８への遊技球の入球に基づいて行われる大当り判定の際に用いられる大当り判定用乱数や、大当り判定の結果が大当りのときに第２特別図柄表示手段４２ｂに停止表示させる大当り図柄を決定するための大当り図柄決定用乱数，第２特別図柄の変動パターンを決定するための変動パターン決定用乱数などの情報が例示できる。また、第２特別図柄保留発生時コマンドには、保留数を演出表示装置３４の表示画面内の第２保留図柄３５ｂで表示するための第２特別図柄の保留数指定コマンドが含まれる。なお、Ｓ２１０で第２始動口３８に遊技球が入球していないと判定したり、Ｓ２１２で第２特別図柄の保留数が上限値に達していると判定すると、Ｓ２１４〜Ｓ２１８の処理をスキップして次のＳ２２０の処理に進む。
【００４４】
次に、大当り遊技中であるか否か（Ｓ２２０）、第１特別図柄および第２特別図柄のいずれかが変動表示中であるか否か（Ｓ２２２）、第１特別図柄および第２特別図柄のいずれかが停止表示時間中であるか否か（Ｓ２２４）をそれぞれ判定する。大当り遊技中と判定すると、これで特別図柄遊技処理を終了し、主制御処理に戻って次のＳ１５０の大当り遊技処理に進む。一方、大当り遊技中でなく、第１特別図柄および第２特別図柄のいずれもが変動表示中でなく、第１特別図柄および第２特別図柄のいずれもが停止表示時間中でないと判定すると、第２特別図柄の保留数が値０であるか否かを判定する（Ｓ２２６）。第２特別図柄の保留数が値０でないと判定すると、判定用情報記憶領域（ＲＡＭ７０ｃ）に記憶されている第２特別図柄の判定用情報（大当り判定用乱数）のうち最も古い判定用情報を読み出し（Ｓ２２８）、第２特別図柄変動表示関連処理を実行して（Ｓ２３０）、特別図柄遊技処理を一旦終了する。
【００４５】
一方、第２特別図柄の保留数が値０と判定すると、第１特別図柄の保留数が値０であるか否かを判定する（Ｓ２３２）。第１特別図柄の保留数が値０でないと判定すると、判定用情報記憶領域（ＲＡＭ７０ｃ）に記憶されている第１特別図柄の判定用情報（大当り判定用乱数）のうち最も古い判定用情報を読み出し（Ｓ２３４）、第１特別図柄変動表示関連処理を実行して（Ｓ２３６）、特別図柄遊技処理を一旦終了する。第１特別図柄の保留数も値０のときには、所定条件が成立しているか否かを判定し（Ｓ２３８）、所定条件が成立していないと判定すると、そのまま特別図柄遊技処理を終了し、所定条件が成立していると判定すると、デモ指定コマンドをサブ制御基板９０に送信して（Ｓ２４０）、特別図柄遊技処理を終了する。ここで、所定条件としては、デモ演出を開始するまでのデモ演出待ち時間が所定時間となったこととすることができる。なお、Ｓ２３８の判定を行ったときにデモ演出待ち時間の計測を開始していなければ、主制御基板７０のタイマによりデモ演出待ち時間の計測を開始するものとする。また、所定時間としては、例えば、数十秒間や数分間などに定めればよい。このデモ演出待ち時間の計測は、Ｓ２００やＳ２１０の処理で第１始動口３６や第２始動口３８に遊技球が入球したと判定したときに、停止してリセットすればよい。デモ指定コマンドを受信したサブ制御基板９０は、後述するようにデモ演出を開始する。なお、デモ演出待ち時間の計測は、主制御基板７０で行うものに限られず、サブ制御基板９０で行ってもよい。この場合、Ｓ２３８の処理を省略して、Ｓ２４０でデモ指定コマンドをサブ制御基板９０に直ちに送信し、デモ指定コマンドを受信したサブ制御基板９０が、デモ演出待ち時間の計測を開始して所定時間となったときにデモ演出を開始すればよい。一方、Ｓ２２６〜Ｓ２３６では、第１特別図柄の保留数と第２特別図柄の保留数がいずれも値０でないときには第２特別図柄の変動表示（保留の消化）が優先して実行される（特図２優先変動）。以下、変動表示関連処理の詳細について説明する。なお、第１特別図柄変動表示関連処理と第２特別図柄変動表示関連処理はいずれも共通の処理が実行されるため、共通のフローチャート（図１３のフローチャート）を用いて説明する。
【００４６】
変動表示関連処理では、まず、確変フラグがオンか否か、即ち現在の遊技状態が高確率状態および低確率状態のいずれであるかを判定する（Ｓ３００）。確変フラグがオフのとき、即ち現在の遊技状態が低確率状態のときにはＳ２２８で読み出した大当り判定用乱数と低確率用大当り判定テーブルとを用いて大当り判定を行い（Ｓ３０２）、確変フラグがオンのとき、即ち現在の遊技状態が高確率状態のときには読み出した大当り判定用乱数と高確率用大当り判定テーブルとを用いて大当り判定を行って（Ｓ３０４）、その判定結果が大当りか否かを判定する（Ｓ３０６）。大当り判定テーブルの一例を図１４に示す。なお、図１４（ａ）に低確率用大当り判定テーブルを示し、図１４（ｂ）に高確率用大当り判定テーブルを示す。低確率用大当り判定テーブルでは大当り判定用乱数が値０〜７９６のうち値６０，６１のときに大当りとし（１／３９８．５の大当り確率）、高確率用大当り判定テーブルでは当り判定用乱数が値０〜７９６のうち値６０〜７９のときに大当りとするものとした（１／３９．８５の大当り確率）。なお、本実施例では、第１特別図柄と第２特別図柄とで共通の大当り判定テーブルが用いられる。
【００４７】
Ｓ３０６で大当り判定の結果が大当りと判定されたときには、判定用情報記憶領域（ＲＡＭ７０ｃ）から大当り図柄決定用乱数を読み出し（Ｓ３０８）、読み出した大当り図柄決定用乱数に基づいて停止表示させる大当り図柄を選択して決定する（Ｓ３１０）。ここで、第１特別図柄の大当り図柄の決定には、図１５に例示する第１特別図柄の大当り図柄決定テーブルが用いられ、第２特別図柄の大当り図柄の決定には、図１６に例示する第２特別図柄の大当り図柄決定テーブルが用いられる。
【００４８】
第１特別図柄の大当り図柄決定テーブルでは、図１５に示すように、大当り図柄決定用乱数が値０〜２５５のうち値０〜１０１のときに図６の左側１段目の図柄が選択されて「第１の通常大当り」となり（約４０％の出現確率）、大当り図柄決定用乱数が値１０２〜２０３のときに図６の左側２段目の図柄が選択されて「第１の確変大当り」となり（約４０％の出現確率）、大当り図柄決定用乱数が値２０４〜２５５のときに図６の左側３段目の図柄が選択されて「第２の確変大当り」となる（約２０％の出現確率）。また、第２特別図柄の大当り図柄決定テーブルでは、図１６に示すように、大当り図柄決定用乱数が値０〜２５５のうち値０〜１０１のときに図６の右側１段目の図柄が選択されて「第１の通常大当り」となり（約４０％の出現確率）、大当り図柄決定用乱数が値１０２〜２２９のときに図６の右側２段目の図柄が選択されて「第１の確変大当り」となり（約５０％の出現確率）、大当り図柄決定用乱数が値２３０〜２５５のときに図６の右側３段目の図柄が選択されて「第２の確変大当り」となる（約１０％の出現確率）。このように、第２特別図柄の大当り図柄決定テーブルは、第１特別図柄の大当り図柄決定テーブルに比べて、「第１の確変大当り」の出現確率が高く、「第２の確変大当り」の出現確率が低くなっている。このため、第２特別図柄に係る遊技の方が、第１特別図柄に係る遊技よりも、遊技者に有利な大当り遊技が行われるものといえるから、遊技者に有利に遊技が進行することになる。
【００４９】
また、Ｓ３０６で大当り判定の結果が大当りでないと判定すると、外れであるから、外れ図柄を決定する（Ｓ３１２）。なお、外れ図柄は、詳細な説明は省略するが、例えば、大当り図柄決定用乱数と図示しない外れ図柄決定用テーブルとを用いて設定することができる。勿論、大当り図柄決定用乱数とは別に外れ図柄決定用乱数を取得するものとすれば、この外れ図柄決定用乱数と外れ図柄決定用テーブルとを用いて設定することもできる。
【００５０】
こうして停止図柄を決定すると、変動パターンテーブルを設定するための図１７に例示する変動パターンテーブル設定処理を実行する（Ｓ３１４）。変動パターンテーブル設定処理では、主制御基板７０のＣＰＵ７０ａは、まず、電サポあり状態が設定されているか否かを判定し（Ｓ３３０）、電サポあり状態ではなく電サポなし状態が設定されていれば、図１８に例示する電サポなし状態用の変動パターンテーブルを設定して（Ｓ３３２）、変動パターンテーブル設定処理を終了する。また、電サポあり状態が設定されていれば、変動回数をカウントするための変動回数カウンタを値１だけインクリメントして（Ｓ３３４）、高確率状態が設定されているか否かを判定する（Ｓ３３６）。高確率状態が設定されていなければ、即ち低確率電サポあり状態が設定されていれば、図１９に例示する電サポあり状態用の変動パターンテーブルを設定して（Ｓ３４０）、変動パターンテーブル設定処理を終了する。一方、高確率状態が設定されていれば、即ち高確率電サポあり状態が設定されていれば、カウンタ値が所定値を超えているか否かを判定し（Ｓ３３８）、カウンタ値が所定値を超えていれば、図１９に例示する電サポあり状態用の変動パターンテーブルを設定して（Ｓ３４０）、変動パターンテーブル設定処理を終了する。また、カウンタ値が所定値以下であれば、図２０に例示する演出モード設定用の変動パターンテーブルを設定して（Ｓ３４２）、変動パターンテーブル設定処理を終了する。ここで、変動回数カウンタは、後述する大当り遊技終了時処理において大当り遊技が終了する際に値０にリセットされるものであり、本実施例では、Ｓ３３６の所定値として値１を用いるものとした。このため、本実施例では、確変大当りで大当りとなると、その大当り遊技終了後に特別図柄が最初に変動表示するときに、演出モード設定用の変動パターンテーブルを設定し、以降は、電サポあり状態用の変動パターンテーブルを設定することになる。
【００５１】
図１８の電サポなし状態用の変動パターンテーブルや図１９の電サポあり状態用の変動パターンテーブルでは、当否判定結果が大当りの場合には、変動パターン決定用乱数に対応付けて各種の変動パターン（変動時間）が規定されており、当否判定結果が外れの場合には保留数と変動パターン決定用乱数とに対応付けて各種の変動パターン（変動時間）が規定されている。これらの変動パターンテーブルでは、当否判定結果が外れの場合には、大当りの場合に比べて、変動時間が短めの変動パターン（通常変動Ａ，Ｂ，Ｃ，Ｄを発生させる変動パターンＰ０１〜Ｐ０４，Ｐ０７，Ｐ０８など）を選択する割合が高く、当否判定結果が大当りの場合には、外れの場合に比べて、変動時間が長めの変動パターン（スーパーリーチＡ，Ｂを発生させる変動パターンＰ０５，Ｐ０６など）を選択する割合が高くなっている。また、電サポあり状態用の変動パターンテーブルにおける通常変動Ｃ，Ｄ（変動パターンＰ０７，Ｐ０８）は、電サポなし状態用の変動パターンテーブルにおける通常変動Ａ，Ｂ（変動パターンＰ０１，Ｐ０２）に比べて、変動時間が短いものとなっている。さらに、電サポあり状態用の変動パターンテーブルでは、電サポなし状態用の変動パターンテーブルに比べて、特に外れ時において、通常変動の変動パターンを選択する割合が高くなっている。これらのことから、電サポあり状態用の変動パターンテーブルに基づいて設定される変動パターンの平均変動時間（変動時間の期待値）は、電サポなし状態用の変動パターンテーブルに基づいて設定される変動パターンの平均変動時間（変動時間の期待値）よりも、短いものとなる。具体的には、電サポなし状態用の変動パターンにおける平均変動時間は、大当り時で約８９秒、外れ時で約２３秒（保留数１，２の場合に約２６秒で保留数３〜８の場合に約３０秒）であり、全体で約５６秒となる。また、電サポあり状態用の変動パターンにおける平均変動時間は、大当り時で約７９秒、外れ時で約８．７秒（保留数１，２の場合に約１０秒で保留数３〜８の場合に約７．４秒）であり、全体で約４４秒となる。一方、図２０の演出モード設定用の変動パターンテーブルでは、当否判定結果や保留数に拘わらず、環境設定専用の変動パターンＰ０９のみが規定されている。このため、図２０の演出モード設定用の変動パターンテーブルが設定される場合には、選択される変動パターン（変動時間）は一定（変動パターンＰ０９の１５秒）となる。この演出モード設定用の変動パターンテーブルは、電サポあり状態中に設定されるから、電サポあり状態用の変動パターンテーブルが設定されて通常変動Ｃとなる変動パターンＰ０７（変動時間１秒）や通常変動Ｄとなる変動パターンＰ０８（変動時間４秒）などが選択される場合に比べると、長い変動時間が確保されるものといえる。なお、演出モード設定専用変動では、リーチ演出は行われず、通常変動と同様の変動となる。
【００５２】
変動パターンテーブルを設定すると、変動パターン決定用乱数を読み出し（Ｓ３１６）、読み出した変動パターン決定用乱数と設定した変動パターンテーブルとを用いて変動パターンを設定する（Ｓ３１８）。そして、特別図柄の変動表示を開始すると共に（Ｓ３２０）、特別図柄の保留数を値１だけデクリメントし（Ｓ３２２）、図柄変動開始時コマンドをサブ制御基板９０に送信して（Ｓ３２４）、変動表示関連処理を終了する。Ｓ３２０〜Ｓ３２４の処理は、現在の変動表示関連処理の対象が第１特別図柄の場合には、第１特別図柄の変動表示を開始すると共に、第１特別図柄の保留数を値１だけデクリメントする処理となる。一方、現在の変動表示関連処理の対象が第２特別図柄の場合には、第２特別図柄の変動表示を開始すると共に、第２特別図柄の保留数を値１だけデクリメントする処理となる。また、Ｓ３２４で送信する図柄変動開始時コマンドには、大当り判定の結果が大当りのときには大当り変動パターンおよびそのパターンにおける変動時間（変動パターン指定コマンド）と大当り停止図柄（特別図柄停止情報指定コマンド）とが含まれ、大当り判定の結果が外れのときには外れ変動パターンおよびそのパターンにおける変動時間（変動パターン指定コマンド）と外れ停止図柄（特別図柄停止情報指定コマンド）とが含まれている。図柄変動開始時コマンドを受信したサブ制御基板９０は、コマンドを解析し、その解析結果に基づいて演出表示装置３４の画面上で行う演出内容を決定し、その決定に応じた制御信号（演出コマンド）を演出表示制御基板９１に出力して演出表示装置３４の制御を行う。なお、特別図柄の変動表示が開始されると、その変動表示に係る判定用情報（保留情報）が判定用情報記憶領域からクリアされる。
【００５３】
図１０〜図１２の特別図柄遊技処理に戻って、特別図柄（第１特別図柄または第２特別図柄）の変動表示が開始された後に特別図柄遊技処理が実行されると、Ｓ２２２で第１特別図柄および第２特別図柄のいずれかが変動表示中と判定するため、主制御基板７０のＣＰＵ７０ａは、変動時間が経過したか否かを判定する（Ｓ２４２）。変動時間は特別図柄の変動パターンに応じて決定されるから、変動時間が経過したか否かは、特別図柄の変動表示が開始されてからの経過時間と、変動パターンに対応する変動時間とを比較することにより行うことができる。変動時間が経過していないと判定すると、特別図柄遊技処理を一旦終了する。変動時間が経過していると判定すると、変動中の特別図柄の変動表示を停止し（Ｓ２４４）、図柄停止コマンドをサブ制御基板９０に送信する（Ｓ２４６）。この図柄停止コマンドを受信したサブ制御基板９０（演出表示制御基板９１）は、演出表示装置３４での図柄変動演出を終了させる。そして、停止表示時間を設定し（Ｓ２４８）、停止表示時間が経過したか否かを判定する（Ｓ２５０）。ここで、停止表示時間は、特別図柄の変動表示を停止してから次に変動表示を開始するまでのインターバルであり、例えば０．６秒に設定される。停止表示時間が経過していないと判定すると、特別図柄遊技処理を一旦終了する。特別図柄の停止表示がなされた後に、特別図柄遊技処理が実行されると、Ｓ２２４で停止表示時間中と判定するため、再びＳ２５０で停止表示時間が経過したか否かを判定し、停止表示時間が経過していると判定すると、停止表示している特別図柄が大当り図柄であるか否かを判定する（Ｓ２５２）。
【００５４】
Ｓ２５２で大当り図柄と判定すると、大当り遊技フラグをオンとすると共に（Ｓ２５４）、大当り遊技開始指定コマンドをサブ制御基板９０に送信する（Ｓ２５６）。これにより、サブ制御基板９０によって、後述する大当り遊技演出処理で大当り遊技開始演出などが実行されることになる。また、大当り遊技中には確変機能や変動時間短縮機能，開放延長機能を停止させるために、確変フラグがオンのときには確変フラグをオフとし（Ｓ２５８，Ｓ２６０）、変動短縮フラグがオンのときには変動短縮フラグをオフとすると共に開放延長フラグをオフとして（Ｓ２６２〜Ｓ２６６）、特別図柄遊技処理を終了し、主制御処理に戻って次のＳ１５０の大当り遊技処理に進む。
【００５５】
一方、Ｓ２５２で大当り図柄でないと判定すると、確変フラグがオンか否かを判定し（Ｓ２６８）、確変フラグがオンでないと判定すると、次のＳ２７８の処理に進む。確変フラグがオンであると判定すると、確変カウンタを値１だけデクリメントして（Ｓ２７０）、確変カウンタが値０であるか否かを判定する（Ｓ２７２）。ここで、確変カウンタは、高確率状態を維持する特別図柄の変動回数の上限値を示すものであり、大当り遊技の終了に際してその値がセットされる。確変カウンタが値０でないと判定すると、高確率状態を維持したまま次のＳ２７８の処理に進み、確変カウンタが値０であると判定すると、確変フラグをオフとすると共に（Ｓ２７４）、遊技状態指定コマンドをサブ制御基板９０に送信して（Ｓ２７６）、次のＳ２７８の処理に進む。これにより、パチンコ機１０の遊技状態は、高確率状態から低確率状態に変更されることになる。なお、遊技状態指定コマンドには、パチンコ機１０の現在の遊技状態を示す確変フラグの設定状況などが含まれる。遊技状態指定コマンドを受信したサブ制御基板９０は、例えば、演出表示制御基板９１に遊技状態を示す演出コマンドを送信して演出表示装置３４の背景画面などの表示を高確率状態用から低確率状態用に変更する等の処理を行う。
【００５６】
次に、変動短縮フラグがオンであるか否かを判定し（Ｓ２７８）、変動短縮フラグがオンでないときにはそのまま特別図柄遊技処理を一旦終了する。変動短縮フラグがオンのときには変動短縮カウンタを値１だけデクリメントし（Ｓ２８０）、変動短縮カウンタが値０であるか否かを判定する（Ｓ２８２）。ここで、変動短縮カウンタは、変動時間短縮機能（特別図柄および普通図柄の変動短縮）の作動状態を維持する特別図柄の変動回数の上限値を示すものであり、大当り遊技の終了に際して大当り態様に応じた値がセットされる。変動短縮カウンタが値０でないときには、電サポあり状態を維持したまま特別図柄遊技処理を一旦終了し、変動短縮カウンタが値０のときには、電サポあり状態を終了させるために、変動短縮フラグをオフとすると共に（Ｓ２８４）、開放延長フラグをオフとし（Ｓ２８６）、遊技状態指定コマンドをサブ制御基板９０に送信して（Ｓ２８８）、特別図柄遊技処理を一旦終了する。これにより、パチンコ機１０の遊技状態は、電サポあり状態から電サポなし状態に変更されることになる。なお、遊技状態指定コマンドには、パチンコ機１０の現在の遊技状態を示す変動短縮フラグや開放延長フラグの設定状況などが含まれる。遊技状態指定コマンドを受信したサブ制御基板９０は、例えば、演出表示制御基板９１に遊技状態を示す演出コマンドを送信して演出表示装置３４の背景画面などの表示を電サポあり状態用から電サポなし状態用に変更する等の処理を行う。なお、Ｓ２７２の判定は低確率状態か高確率状態かに拘わらず実行され、Ｓ２８２の判定は電サポなし状態か電サポあり状態かに拘わらず実行されるが、第１の確変大当りや第２の確変大当りでは、大当り終了後に、確変カウンタや変動短縮カウンタに１０，０００回が設定されるため、これらの確変大当りの場合に、確変カウンタや変動短縮カウンタが値０となることは通常あり得ず、次回に大当りを引くまで高確率状態や電サポあり状態が終了することはない。
【００５７】
［大当り遊技処理］
Ｓ１５０の大当り遊技処理は、図２１に示すフローチャートに従って実行される。図２１の大当り遊技処理が実行されると、主制御基板７０のＣＰＵ７０ａは、まず、大当り遊技フラグがオンであるか否か、即ち大当り遊技中であるか否かを判定する（Ｓ４００）。大当り遊技フラグがオフであると判定すると、そのまま大当り遊技処理を終了する。一方、大当り遊技フラグがオンであると判定すると、大入賞口４４が開放中であるか否かを判定し（Ｓ４０２）、大入賞口４４が閉鎖中である（開放中でない）と判定すると、大入賞口４４の開放タイミングであるか否かを判定する（Ｓ４０４）。この判定は、規定の閉鎖時間（本実施例では、２秒）が経過したか否かを判定することにより行われる。大入賞口４４の開放タイミングであると判定すると、大入賞口４４が開放されるよう大入賞口ソレノイド４４ｂを駆動制御して（Ｓ４０６）、大当り遊技処理を一旦終了する。一方、Ｓ４０４で大入賞口４４の開放タイミングでないと判定すると、そのまま大当り遊技処理を一旦終了する。
【００５８】
一方、Ｓ４０２で大入賞口４４が開放中であると判定すると、大入賞口４４の閉鎖タイミングか否かを判定する（Ｓ４０８）。この判定は、規定の開放時間（本実施例では、２５秒）が経過したか、大入賞口４４に入球した遊技球の数が規定数（本実施例では、１０個）に達したかのいずれかの成立を判定することにより行われる。大入賞口４４の閉鎖タイミングでないと判定すると、大入賞口４４の開放を維持したまま大当り遊技処理を一旦終了する。一方、大入賞口４４の閉鎖タイミングであると判定すると、大入賞口４４が閉鎖されるよう大入賞口ソレノイド４４ｂを駆動制御し（Ｓ４１０）、大当り遊技の終了条件が成立したか否かを判定する（Ｓ４１２）。この判定は、大入賞口４４が規定ラウンド数通りに開放されたか否かを判定することにより行われる。なお、規定ラウンド数は、第１の通常大当りや第１の確変大当りでは１６ラウンドとなり、第２の確変大当りでは５ラウンドとなる。Ｓ４１２で大当り遊技の終了条件が成立していないと判定すると、そのまま大当り遊技処理を一旦終了する。一方、大当り遊技の終了条件が成立したと判定すると、図２２に例示する大当り遊技終了時処理を実行して（Ｓ４１４）、大当り遊技処理を終了する。
【００５９】
図２２の大当り遊技終了時処理では、主制御基板７０のＣＰＵ７０ａは、まず、大当り遊技フラグをオンからオフとし（Ｓ４５０）、今回の大当りが確変大当り（第１の確変大当りまたは第２の確変大当り）であるか否かを判定する（Ｓ４５２）。今回の大当りが確変大当りでなく、通常大当りであると判定すると、確変フラグはオフのまま維持して、変動短縮カウンタを１００回に設定し（Ｓ４５４）、確変大当りであると判定すると、確変カウンタを１０，０００回に設定して確変フラグをオンとすると共に（Ｓ４５６，Ｓ４５８）、変動短縮カウンタを１０，０００回に設定する（Ｓ４６０）。なお、前述したように、確変カウンタと変動短縮カウンタとが１０，０００回に設定されると、実質的には、次回の大当りを引くまで高確率状態と電サポあり状態とが継続される。こうして変動短縮カウンタをセットすると、変動短縮フラグと開放延長フラグとをオンとすると共に（Ｓ４６２，Ｓ４６４）、変動回数カウンタを値０に設定し（Ｓ４６６）、大当り遊技終了指定コマンドと遊技状態指定コマンドをサブ制御基板９０に送信して（Ｓ４６８）、大当り遊技終了時処理を終了する。また、遊技状態指定コマンドを受信したサブ制御基板９０は、例えば、演出表示制御基板９１に遊技状態を示す演出コマンドを送信して演出表示装置３４の背景画面をそのときの遊技状態に応じた背景に設定する処理等を行う。
【００６０】
次に、サブ制御基板９０により実行される処理について説明する。図２３は、サブ制御基板９０のＣＰＵ９０ａにより実行される演出制御処理の一例を示すフローチャートである。演出制御処理は、デモ演出処理（Ｓ５００）と、デモ演出中の演出モード設定処理（Ｓ５１０）と、図柄変動演出処理（Ｓ５２０）と、予告演出処理（Ｓ５３０）と、大当り遊技演出処理（Ｓ５４０）と、遊技中の演出モード設定処理（Ｓ５５０）とを繰り返し実行することにより行われる。Ｓ５４０の大当り遊技演出処理では、図１２の特別図柄遊技処理のＳ２５４の処理で主制御基板７０により送信される大当り遊技開始指定コマンドを受信したときに大当り遊技開始演出（大当りファンファーレ演出）を実行し、図２２の大当り遊技終了時処理のＳ４６６の処理で主制御基板７０により送信される大当り遊技終了指定コマンドを受信したときに大当り遊技終了演出（大当りエンディング演出）を実行する。
【００６１】
［デモ演出処理］
Ｓ５００のデモ演出処理は、図２４に示すフローチャートに従って実行される。デモ演出処理が実行されると、サブ制御基板９０のＣＰＵ９０ａは、まず、デモ演出中フラグがオフであるか否かを判定する（Ｓ６００）。デモ演出中フラグがオフであると判定すると、図１１の特別図柄遊技処理のＳ２４０の処理で主制御基板７０により送信されるデモ指定コマンドを受信したか否かを判定する（Ｓ６０２）。Ｓ６０２でデモ指定コマンドを受信していないと判定すると、そのままデモ演出処理を終了する。一方、Ｓ６０２でデモ指定コマンドを受信したと判定すると、デモ演出中フラグをオンとしてデモ演出を開始する（Ｓ６０４）。なお、デモ演出では、パチンコ機１０の機種情報（スペックなど）の紹介や演出中に登場するキャラクタの紹介などを行う演出の他、演出ボタン２６を操作することにより遊技者が演出モード（演出態様）を設定可能となることを報知する演出が行われる。
【００６２】
こうしてデモ演出を開始したとき、あるいは、Ｓ６００でデモ演出中フラグがオフでなくオンであると判定したときには、図１０の特別図柄遊技処理のＳ２０８，Ｓ２１８の処理で主制御基板７０により送信される保留発生時コマンドを受信したか否かを判定する（Ｓ６０６）。保留発生時コマンドを受信していないと判定すると、デモ演出フラグをオンとしたまま、デモ演出処理を一旦終了する。また、Ｓ６０６で保留発生時コマンドを受信したと判定すると、デモ演出中フラグをオフとしデモ演出を終了して（Ｓ６０８）、デモ演出処理を終了する。なお、デモ演出は、保留発生時コマンドを受信したときに終了するものに限られず、デモ演出を開始してからの経過時間に基づいて終了するものなどとしてもよい。
【００６３】
［デモ演出中の演出モード設定処理］
Ｓ５１０のデモ演出中の演出モード設定処理は、図２５に示すフローチャートに従って実行される。デモ演出中の演出モード設定処理が実行されると、サブ制御基板９０のＣＰＵ９０ａは、まず、デモ演出中フラグがオンであるか否かを判定し（Ｓ６５０）、デモ演出中フラグがオンであると判定すると、演出モードを設定するための演出モード設定画像を表示中であるか否かを判定する（Ｓ６５２）。演出モード設定画像を表示中でないと判定すると、遊技者により演出ボタン２６が操作されたか否かを判定する（Ｓ６５４）。前述したように、デモ演出中には、演出ボタン２６を操作することにより遊技者が演出モードを設定可能となることを報知する演出が行われるから、Ｓ６５４の処理は遊技者から演出モードの設定が指示されたか否かを判定する処理となる。演出ボタン２６が操作されていないと判定すると、そのままデモ演出中の演出モード設定処理を終了する。一方、演出ボタン２６が操作されたと判定すると、演出表示装置３４に演出モード設定画像を表示する（Ｓ６５６）。
【００６４】
ここで、本実施例では、演出モード設定画像で設定可能な演出モードとして、第１演出モード〜第４演出モードの４つの演出モードを有している。これらの演出モードの内容の一例を図２６に示す。図示するように、各演出モードは、演出時における演出表示装置３４の画面の背景色が異なっており、第１演出モードでは「青」色を基調とし、第２演出モードでは「黄」色を基調とし、第３演出モードでは「赤」色を基調とし、第４演出モードでは「緑」色を基調とする。また、各演出モードは、予告演出の実行内容も異なっている。第１演出モードでは、演出を信頼度の高いものに段階的にステップアップさせる「ステップアップ予告」が行われ、第２演出モードでは、キャラクタを群れになって登場させる「群予告」が行われ、第３演出モードでは、信頼度に応じて特別なミニキャラクタを登場させる「ミニキャラクタ予告」が行われ、第４演出モードでは、予告演出が行われない。このように、各演出モードにおいて、予告演出の内容が異なるから、遊技者の好みの演出モードと異なる演出モードが設定された場合には、遊技興趣が損なわれることがある。特に、本実施例では、予告演出を行わない第４演出モードを有するから、予告演出を望む遊技者の遊技中に第４演出モードが設定されると、遊技興趣が損なわれ易い。なお、各演出モードでは、背景色や予告演出に加えて、あるいは、背景色や予告演出に代えて、リーチ演出など他の演出内容が異なるものとしてもよい。また、第４演出モードは、予告演出が行われないモードとしたが、これに限られず、他の予告演出（例えば、キャラクタのセリフによって信頼度を示す「セリフ予告」など）を行うものとしてもよい。
【００６５】
また、デモ演出中に演出表示装置３４に演出モード設定画像が表示される様子を図２７に示す。なお、Ｓ６５６で表示される演出モード設定画像には、現在の演出モードが表示される。図２７（ａ）には、演出モード設定画像に「第１演出モード」が表示される様子を示し、図２７（ｂ）には、演出モード設定画像に「第２演出モード」が表示される様子を示す。なお、「第３演出モード」や「第４演出モード」が表示される様子の図示は省略する。図２７（ａ）に示すように、演出モード設定画像に「第１演出モード」が表示される場合には、第１演出モードの予告演出ではステップアップ予告が行われることと、そのステップアップ予告の内容が表示される。ステップアップ予告の内容としては、何も釣れていない様子を示すステップ１（Ｓ１）と、小さな魚が釣れた様子を示すステップ２（Ｓ２）と、大きな魚が釣れた様子を示すステップ３（Ｓ３）とが表示されており、ステップが進むほど信頼度が高くなる。一方、図２７（ｂ）に示すように、演出モード設定画像に「第２演出モード」が表示される場合には、第２演出モードの予告演出では群予告が行われることと、その群予告の演出内容（ここでは、魚が群れになって泳ぐ様子）が表示される。なお、演出モード設定画像を表示する際には、演出モード設定画像に表示される演出モードの背景色に合わせて、演出表示装置３４の画面の背景色が変更される。演出モード設定画像が表示されている状態で、遊技者が方向ボタン２６ｂ（右方向ボタン）を操作すると、モード設定画像に表示される演出モードが、「第１演出モード」→「第２演出モード」→「第３演出モード」→「第４演出モード」のように昇順に変更され、背景色も合わせて変更される。また、遊技者が方向ボタン２６ａ（左方向ボタン）を操作すると、モード設定画像に表示される演出モードが、「第１演出モード」→「第４演出モード」→「第３演出モード」→「第２演出モード」のように降順に変更され、背景色も合わせて変更される。このため、遊技者は、方向ボタン２６ａ，２６ｂを操作することにより、モード設定画像に所望の演出モードを表示させることができる。
【００６６】
こうしてＳ６５６で演出モード設定画像を表示した場合またはＳ６５２で演出モード設定画像を表示中であると判定した場合には、遊技者により方向ボタン２６ａ，２６ｂが操作されたか否かを判定し（Ｓ６５８）、方向ボタン２６ａ，２６ｂが操作されたと判定すると、その操作に基づいて演出モード設定画像の表示（および演出表示装置３４の画面の背景色）を変更して（Ｓ６６０）、デモ演出中の演出モード設定処理を終了する。また、Ｓ６５８で方向ボタン２６ａ，２６ｂが操作されていないと判定すると、遊技者により演出ボタン２６が操作されたか否かを判定する（Ｓ６６２）。Ｓ６６２で演出ボタン２６が操作されていないと判定すると、演出表示装置３４に演出モード設定画像を表示したまま、デモ演出中の演出モード設定処理を終了する。
【００６７】
一方、Ｓ６６２で遊技者により演出ボタン２６が操作されたと判定すると、演出モードを演出モード設定画像に表示されている演出モードに設定し（Ｓ６６４）、演出モード設定画像を消去して（Ｓ６６６）、デモ演出中の演出モード設定処理を終了する。これにより、遊技者は、遊技を開始する前のデモ演出中に、好みの演出モードを設定することができる。そして、デモ演出中に設定した演出モードに基づいて、遊技開始後の演出が行われることになる。なお、Ｓ６６２の判定（演出ボタン２６が操作されたか否かの判定）に代えて、遊技者による演出ボタン２６や方向ボタン２６ａ，２６ｂの操作がなされていない無操作時間が所定時間以上であるか否かを判定し、所定時間以上であれば、Ｓ６６４，Ｓ６６６で演出モードを演出モード設定画像に表示されている演出モードに設定してから演出モード設定画像を消去するものとしてもよい。その場合の所定時間としては、遊技者が演出モードの設定を完了したと判断できる程度の時間として、例えば数秒（３秒や５秒）などに定めればよい。
【００６８】
また、Ｓ６５０でデモ演出中フラグがオフであると判定すると、そのままデモ演出中の演出モード設定処理を終了する。なお、デモ演出中フラグがオフであると判定した場合に、演出モード設定画像を表示中であれば、Ｓ６６４，Ｓ６６６で演出モードを演出モード設定画像に表示されている演出モードに設定してから演出モード設定画像を消去して、デモ演出中の演出モード設定処理を終了するものとすればよい。
【００６９】
［図柄変動演出処理］
Ｓ５２０の図柄変動演出処理は、図２８に示すフローチャートに従って実行される。図柄変動演出処理が実行されると、サブ制御基板９０のＣＰＵ９０ａは、まず、図１３の変動表示関連処理のＳ３２４の処理で主制御基板７０により送信される図柄変動開始時コマンドを受信したか否かを判定する（Ｓ７００）。図柄変動開始時コマンドを受信したと判定すると、その受信したコマンドに基づき演出図柄の停止図柄を設定すると共に（Ｓ７０２）、演出パターンを設定する（Ｓ７０４）。ここで、図柄変動開始時コマンドには特別図柄の停止図柄（特別図柄停止情報指定コマンド）が含まれているから、演出図柄の停止図柄の設定は、ＲＯＭ９０ｂに予め記憶されている演出図柄の停止図柄のうち、受信した特別図柄停止情報指定コマンドに対応する停止図柄を読み出すことにより行うことができる。また、図柄変動開始時コマンドには特別図柄の変動パターン（変動パターン指定コマンド）が含まれているから、演出パターンの設定は、ＲＯＭ９０ｂに予め記憶されている演出パターンテーブルが有する演出パターンのうち、受信した変動パターン指定コマンドに対応する演出パターンを読み出すことにより行うことができる。
【００７０】
こうして演出図柄の停止図柄と演出パターンとを設定すると、図柄変動演出を開始する（Ｓ７０６）。この処理は、演出図柄の停止図柄と演出パターンとに基づく図柄変動演出の開始を指示する演出コマンド（図柄変動演出開始コマンド）を演出表示制御基板９１に送信することによって行われる。次に、現在の遊技状態が電サポあり状態であるか否かを判定する（Ｓ７０８）。この判定は、図１２の特別図柄遊技処理のＳ２８８の処理や図２２の大当り遊技終了時処理のＳ４６８の処理で主制御基板７０により送信される遊技状態指定コマンドに基づいて行うことができる。現在の遊技状態が電サポあり状態であると判定すると、設定した演出パターンが演出モード設定専用の変動パターンＰ０９に対応する演出モード設定専用パターンであるか否かを判定し（Ｓ７１０）、演出モード設定専用パターンであると判定すると、演出モードを設定可能な期間であることを示す演出モード設定期間フラグをオンとする（Ｓ７１２）。また、Ｓ７０８で現在の遊技状態が電サポなし状態であると判定すると、Ｓ７１０の処理をスキップして、演出モード設定期間フラグをオンとする（Ｓ７１２）。このように、電サポなし状態であれば、図柄変動演出の開始に伴って演出モード設定期間フラグをオンとして演出モード設定期間を発生させ、電サポあり状態であれば、演出モード設定専用パターンである場合に限り演出モード設定期間フラグをオンとして演出モード設定期間を発生させるのである。
【００７１】
Ｓ７００で図柄変動開始時コマンドを受信していないと判定した場合またはＳ７１０で電サポあり状態で演出モード設定専用パターン以外の演出パターンを設定したと判定した場合あるいはＳ７１２で演出モード設定期間フラグをオンとした場合には、演出モード設定期間フラグがオンであるか否かを判定する（Ｓ７１４）。演出モード設定期間フラグがオンであると判定すると、図柄変動演出を開始してから所定期間が経過したか否かを判定し（Ｓ７１６）、所定期間が経過したと判定すると、演出モード設定期間フラグをオンからオフとして（Ｓ７１８）、次のＳ７２０の処理に進む。また、Ｓ７１４で演出モード設定期間フラグがオフであると判定したり、Ｓ７１６で所定期間が経過していないと判定すると、Ｓ７１８の処理をスキップして次のＳ７２０の処理に進む。ここで、前述したように、図柄変動演出では、左の演出図柄３４Ｌ，右の演出図柄３４Ｒ，中の演出図柄３４Ｍの順に停止表示する。Ｓ７１２の所定期間としては、例えば、図柄変動演出を開始してから左の演出図柄３４Ｌが停止表示するまでの時間などとすることができる。そのようにした場合、変動時間が短い演出パターン（変動パターン）ほど左の演出図柄３４Ｌが早く停止表示するから、所定時間も短いものとなり、演出モード設定期間フラグが早期にオフされることになる。
【００７２】
次に、図１１の特別図柄遊技処理のＳ２４６の処理で主制御基板７０により送信される図柄停止コマンドを受信したか否かを判定する（Ｓ７２０）。図柄停止コマンドを受信したと判定すると、演出表示装置３４での図柄変動演出を終了する（Ｓ７２２）。この処理は、図柄変動演出の終了を指示する演出コマンド（図柄変動演出終了コマンド）を演出表示制御基板９１に送信することによって行われる。なお、Ｓ７２０で図柄停止コマンドを受信していないと判定すると、Ｓ７２２の処理をスキップして図柄変動演出処理を終了する。
【００７３】
［予告演出処理］
Ｓ５３０の予告演出処理は、図２９に例示するフローチャートに従って実行される。図２９の予告演出処理では、サブ制御基板９０のＣＰＵ９０ａは、まず、図柄変動演出中の所定の予告演出実行タイミングであるか否かを判定する（Ｓ７５０）。この予告演出実行タイミングとしては、図柄変動演出を開始してからの経過期間に基づき予め定められたタイミングなどとすることができる。予告演出実行タイミングでないと判定すると、そのまま予告演出処理を終了し、予告演出実行タイミングであると判定すると、現在の演出モードが第１演出モードであるか否か（Ｓ７５２）、第２演出モードであるか否か（Ｓ７５４）、第３演出モードであるか否か（Ｓ７５６）、を判定する。Ｓ７５２で第１演出モードであると判定すると、第１演出モードでは予告演出としてステップアップ予告を行うから、現在の演出パターンがステップアップ予告対象（ＳＵ予告対象）の演出パターンであるか否かを判定する（Ｓ７５８）。本実施例では、ステップアップ予告対象の演出パターンを、ノーマルリーチＡ，Ｂの演出パターンおよびスーパーリーチＡ，Ｂの演出パターンとする。
【００７４】
Ｓ７５８でステップアップ予告対象の演出パターンでないと判定すると、そのまま予告演出処理を終了し、ステップアップ予告対象の演出パターンであると判定すると、ステップアップ予告の演出内容を設定し（Ｓ７６０）、ステップアップ予告演出を実行して（Ｓ７６２）、予告演出処理を終了する。Ｓ７６０の処理は、演出パターン別に演出内容決定用乱数に対応付けて演出内容（ステップ）を規定したテーブルを設けておき、現在の演出パターンに対応するテーブルを読み出すと共に演出内容決定用乱数を取得し、読み出したテーブルと取得した演出内容決定用乱数とに基づいて行うことができる。このテーブルの図示は省略するが、例えば、ノーマルリーチＡ，Ｂの演出パターンに対応するテーブルには、何も釣れていない様子を示すステップ１や小さな魚が釣れた様子を示すステップ２が、大きな魚が釣れた様子を示すステップ３よりも多くの演出内容決定用乱数に対応付けられ、スーパーリーチＡ，Ｂの演出パターンに対応するテーブルには、大きな魚が釣れた様子を示すステップ３が、何も釣れていない様子を示すステップ１や小さな魚が釣れた様子を示すステップ２よりも多くの演出内容決定用乱数に対応付けられるものなどとすることができる。
【００７５】
一方、Ｓ７５４で第２演出モードであると判定すると、第２演出モードでは予告演出として群予告を行うから、現在の演出パターンが群予告対象の演出パターンであるか否かを判定する（Ｓ７６４）。本実施例では、群予告対象の演出パターンを、スーパーリーチＡ，Ｂの演出パターンとする。Ｓ７６４で群予告対象の演出パターンでないと判定すると、そのまま予告演出処理を終了し、Ｓ７６４で群予告対象の演出パターンであると判定すると、群予告演出を実行して（Ｓ７６６）、予告演出処理を終了する。
【００７６】
一方、Ｓ７５６で第３演出モードであると判定すると、第３演出モードでは予告演出としてミニキャラ予告を行うから、現在の演出パターンがミニキャラ予告対象の演出パターンであるか否かを判定する（Ｓ７６８）。本実施例では、ミニキャラ予告対象の演出パターンを、ステップアップ予告対象の演出パターンと同様に定めた。Ｓ７６８でミニキャラ予告対象の演出パターンでないと判定すると、そのまま予告演出処理を終了し、Ｓ７６８でミニキャラ予告対象の演出パターンであると判定すると、ミニキャラ予告の演出内容を設定し（Ｓ７７０）、ミニキャラ予告演出を実行して（Ｓ７７２）、予告演出処理を終了する。なお、Ｓ７７０の処理は、登場させるミニキャラクタの設定などを、演出パターンに基づいて行うことができ、その詳細な説明は省略する。なお、Ｓ７５６で第３演出モードでもないと判定すると、第４演出モードであり、第４演出モードでは予告演出を行わないから、そのまま予告演出処理を終了する。このように、本実施例では、遊技者が設定した演出モードに応じて、予告演出の実行態様が異なることになる。なお、ステップアップ予告対象やミニキャラ予告対象の演出パターンは、ノーマルリーチＡ，Ｂの演出パターンおよびスーパーリーチＡ，Ｂの演出パターンであり、群予告対象の演出パターンはスーパーリーチＡ，Ｂの演出パターンである。このため、第１演出モードや第３演出モードでは、第２演出モードよりも予告演出が頻繁に行われることになり、第２演出モードでは、第１演出モードや第３演出モードよりも予告演出の信頼度が高まることになる。これらのことから、予告演出が頻繁に行われることを望む遊技者は第１演出モードや第３演出モードを選択し、信頼度の高い予告演出を望む遊技者は第２演出モードを選択し、予告演出を伴わずに演出を楽しみたい遊技者は第４演出モードを選択することができる。
【００７７】
［遊技中の演出モード設定処理］
Ｓ５５０の遊技中の演出モード設定処理は、図３０に例示するフローチャートに従って実行される。図３０の遊技中の演出モード設定処理では、サブ制御基板９０のＣＰＵ９０ａは、まず、演出モード設定期間フラグがオンであるか否かを判定する（Ｓ８００）。演出モード設定期間フラグがオンであると判定すると、演出表示装置３４に演出モード設定画像を表示中であるか否かを判定し（Ｓ８０２）、演出モード設定画像を表示中でなければ遊技者により演出ボタン２６が操作されたか否かを判定する（Ｓ８０４）。演出ボタン２６が操作されていないと判定すると、そのまま遊技中の演出モード設定処理を終了する。一方、演出ボタン２６が操作されたと判定すると、演出表示装置３４に演出モード設定画像を表示する（Ｓ８０６）。ここで、本実施例では、図柄変動演出中に演出モード設定期間フラグをオンとするから、演出モード設定画像は、図柄変動演出中に表示されることになる。図柄変動演出中に演出表示装置３４に演出モード設定画像が表示される様子を図３１に示す。図示するように、図柄変動演出に重ねて、演出モード設定画像が表示される。図柄変動演出中に演出モード設定画像が表示される場合も、デモ演出中に演出モード設定画像が表示される場合と同様に、遊技者は演出ボタン２６や方向ボタン２６ａ，２６ｂの操作により所望の演出モードを選択し設定することができる。なお、演出モード設定画像を透過性を有するものとして、背後の図柄変動演出の視認を妨げないものなどとしてもよい。
【００７８】
こうしてＳ８０６で演出モード設定画像を表示した場合またはＳ８０２で演出モード設定画像を表示中であると判定した場合には、遊技者により方向ボタン２６ａ，２６ｂが操作されたか否かを判定し（Ｓ８０８）、方向ボタン２６ａ，２６ｂが操作されたと判定すると、その操作に基づいて演出モード設定画像の表示（および演出表示装置３４の画面の背景色）を変更して（Ｓ８１０）、遊技中の演出モード設定処理を終了する。また、Ｓ８０８で方向ボタン２６ａ，２６ｂが操作されていないと判定すると、遊技者により演出ボタン２６が操作されたか否かを判定する（Ｓ８１２）。演出ボタン２６が操作されていないと判定すると、演出表示装置３４に演出モード設定画像を表示したまま、遊技中の演出モード設定処理を終了する。
【００７９】
一方、Ｓ８１２で演出ボタン２６が操作されたと判定すると、演出モードを演出モード設定画像に表示されている演出モードに設定し（Ｓ８１４）、演出モード設定画像を消去して（Ｓ８１６）、遊技中の演出モード設定処理を終了する。これにより、遊技者は、図柄変動演出が行われている間に、好みの演出モードを設定することができ、設定した演出モードに基づいて以降の演出が行われることになる。ここで、電サポなし状態に比べて変動時間が短い電サポあり状態においても、１回目の図柄変動演出を、演出モード設定専用パターンで行うことにより、演出モード設定期間が発生している。演出モード設定専用パターン（演出モード設定専用の変動パターンＰ０９）の変動時間は１５秒であり、図２８の図柄変動演出処理において所定期間が直ちに経過して演出モード設定期間フラグがすぐにオフとされることがないから、遊技者は所望の演出モードを確実に設定することができる。なお、Ｓ８１２の判定（演出ボタン２６が操作されたか否かの判定）に代えて、無操作時間が所定時間以上であるか否かを判定してもよい。
【００８０】
また、Ｓ８００で演出モード設定期間フラグがオフであると判定すると、そのまま遊技中の演出モード設定処理を終了する。なお、演出モード設定期間フラグがオフであると判定した場合に、演出モード設定画像を表示中であれば、Ｓ８１４，Ｓ８１６で演出モードを演出モード設定画像に表示されている演出モードに設定してから演出モード設定画像を消去して、遊技中の演出モード設定処理を終了するものとすればよい。
【００８１】
ここで、本実施例では、デモ演出中に遊技者により演出ボタン２６の操作が行われると演出モード設定画像を表示するから、遊技者は遊技開始前のデモ演出中に好みの演出モードを設定することができる。また、電サポなし状態でも図柄変動演出中の所定期間内に演出モード設定期間フラグをオンとして遊技者による演出モードの設定を可能とするから、遊技者は電サポなし状態の図柄変動演出中にも好みの演出モードを設定することができる。一方で、電サポあり状態では、演出モード設定専用の変動パターンＰ０９を設け、それに対応する演出モード設定専用パターンでの図柄変動演出中に所望の演出モードを確実に設定可能としたが、電サポあり状態において演出モード設定専用の変動パターンを設けない場合を考える。この場合、電サポあり状態において、電サポなし状態と同様に、演出パターン（変動パターン）に拘わらず、図柄変動演出中の所定期間内に演出モード設定期間を発生させるものとする。そうすると、電サポあり状態の変動パターンの平均変動時間は、電サポなし状態の変動パターンの平均変動時間よりも短いから、演出モードの設定に十分な時間を確保できない場合がある。特に、電サポあり状態用の変動パターンテーブルにおいて、出現割合の高い変動パターンＰ０７（変動時間１秒）や変動パターンＰ０８（変動時間４秒）が選択されると、図柄変動演出中の所定期間が著しく短くなり、演出モード設定期間が早期に終了する（演出モード設定期間フラグが早期にオフされる）ことになる。したがって、遊技者は急いで演出モードを設定しなければならないだけでなく、ボタン操作中に所定期間が終了したり操作を誤ったりして所望の演出モードを設定できない場合が生じることがある。このため、電サポあり状態で、所望の演出モードを確実に設定するためには、第１特別図柄および第２特別図柄の保留をすべて消化して、一旦デモ演出に移行しなければならないことになる。そうなると、特図２優先変動であるために、電サポあり状態中（高確率電サポあり状態中）には、第１特別図柄の保留が存在しても第２特別図柄の保留を消化して遊技を進行させることができるにも拘わらず、デモ演出に移行させるために第１特別図柄の保留を消化させる必要が生じてしまう。前述したように、第２特別図柄に係る遊技の方が、第１特別図柄に係る遊技よりも、第１の確変大当りの出現確率が高く遊技者に有利な遊技である。このため、高確率電サポあり状態中に第１特別図柄の保留を消化させると、遊技者に不利益が生じることになる。そのような不利益が生じるのを抑制するために、本実施例では、演出モード設定専用の変動パターンＰ０９を設け、高確率電サポあり状態の１回目の特別図柄の変動表示をその専用パターンで行うことで、十分な時間をもって演出モード設定期間を発生させて、所望の演出モードの確実な設定を可能とするのである。
【００８２】
また、演出モード設定専用の変動パターンＰ０９の変動時間は１５秒であり、所望の演出モードの設定に十分な時間を確保するだけでなく、特別図柄の変動表示が行われている間に第２特別図柄の保留を貯めるのにも十分な時間となっている。このため、高確率電サポあり状態が開始して間もない状態で、第２特別図柄の保留が少ない場合であっても、第２特別図柄の保留が途切れて第１特別図柄の保留が消化されることによる不利益が生じるのを抑制することができる。特に、低確率電サポなし状態で発生した大当り（いわゆる初当り）に係る大当り遊技が終了したときには、通常は第２特別図柄の保留が少ないことから、そのような不利益を抑制する効果が顕著なものとなる。本実施例において、演出モード設定専用の変動パターンＰ０９の設定を、確変大当りに係る大当り遊技終了後の１回目の変動時としたのは、こうした理由による。
【００８３】
以上説明した実施例のパチンコ機１０によれば、大当り遊技終了後の高確率電サポあり状態において所定回数目の特別図柄の変動表示が行われるときに変動時間の長い演出モード設定専用の変動パターンを設定し、演出モード設定期間を発生させて演出モードの設定を可能とするから、演出モードの設定機会を増やして、遊技者に好みの演出モードを設定させることができる。また、所定回数目を１回目として高確率電サポあり状態が開始して間もない状態で遊技者に演出モードを設定させるから、高確率電サポあり状態中の演出モードを遊技者の好みのものとさせて遊技の進行を盛り上げることができる。それだけでなく、１回目の特別図柄の変動表示中に第２特別図柄の保留を貯めることができるから、高確率電サポあり状態中に第１特別図柄の保留が消化されることによる不利益が生じるのを抑制することができる。
【００８４】
実施例のパチンコ機１０では、特別図柄の変動表示の所定回数を１回としたが、これに限られず、所定回数を確変大当りに係る大当り遊技終了後に記憶されている第２特別図柄の保留数の範囲内の回数などとしてもよい。そのような範囲内の回数であれば、第１特別図柄の保留が消化されることがないから、その範囲内で適宜所定回数を決定すればよい。あるいは、特別図柄の変動表示の回数が所定回数以下の場合に演出モードを設定可能とするものに限られず、特別図柄の変動表示の回数が所定回数に到達した場合に演出モードを設定可能とするものとしてもよい。その場合、所定回数を５０回や１００回などとして、５０回目や１００回目の特別図柄の変動表示中に演出モードを設定可能なものとしてもよい。
【００８５】
実施例のパチンコ機１０では、電サポあり状態中の演出モード設定期間を１回の特別図柄の変動表示中に発生させるものとしたが、電サポあり状態中の演出モード設定期間を複数回の特別図柄の変動表示に跨って発生させるものとしてもよい。
【００８６】
実施例のパチンコ機１０では、高確率電サポあり状態の図柄変動演出中（図柄変動遊技中）に演出モード設定専用の変動パターンを設定して演出モードの設定を可能としたが、これに限られず、低確率電サポあり状態の図柄変動演出中にも演出モード設定専用の変動パターンを設定して演出モードを設定可能としてもよい。
【００８７】
実施例のパチンコ機１０では、電サポあり状態においては演出モード設定専用パターンで図柄変動演出が行われるときにのみ演出モード設定期間を発生させて演出モードを設定可能としたが、これに限られず、電サポあり状態においても電サポなし状態と同様に演出パターン（変動パターン）に拘わらず演出モード設定期間を発生させて演出モードを設定可能としてもよい。この場合、図２８の図柄変動演出処理のＳ７０８，Ｓ７１０の処理を省略すればよい。
【００８８】
実施例のパチンコ機１０では、高確率電サポあり状態が設定されてからの図柄変動演出中（図柄変動遊技中）に演出モードを設定可能としたが、これに限られず、高確率電サポあり状態が設定されることに基づいて演出モードを設定可能とするものであれば、他のタイミングで演出モードを設定可能としてもよい。例えば、高確率電サポあり状態が設定されるのは、確変大当り（第１の確変大当りまたは第２の確変大当り）に係る大当り遊技終了後であるから、その確変大当りに係る大当り遊技中に演出モード設定期間を発生させて演出モードを設定可能としてもよい。なお、この変形例では、実施例と異なり、大当り遊技終了後に高確率電サポあり状態が設定されて特別図柄の変動表示が所定回数以下の場合に演出モード設定期間を別途発生させる処理を行わないものとすればよい。このため、図１７の変動パターン設定処理では、Ｓ３３４，Ｓ３３８，Ｓ３４２の処理を省略し、図２８の図柄変動演出処理では、Ｓ７０８，Ｓ７１０の処理を省略すればよい。
【００８９】
この場合の変形例の大当り遊技演出処理を図３２に示す。この変形例の大当り遊技演出処理では、サブ制御基板９０のＣＰＵ９０ａは、まず、前述したように、大当り遊技開始指定コマンドを受信したときに大当り遊技開始演出を実行する（Ｓ９００，Ｓ９０２）。また、大当り遊技終了指定コマンドを受信したときに（Ｓ９０４）、大当り遊技終了演出を開始して（Ｓ９０６）、今回の大当り（今回終了した大当り）が確変大当り（第１の確変大当りまたは第２の確変大当り）であるか否かを判定する（Ｓ９０８）。今回の大当りが確変大当りであると判定すると、演出モード設定期間フラグをオフからオンとして（Ｓ９１０）、次のＳ９１２の処理に進み、今回の大当りが確変大当りでなく通常大当りであると判定すると、Ｓ９１０の処理をスキップして演出モード設定期間フラグをオフとしたまま、次のＳ９１２の処理に進む。なお、Ｓ９０４で大当り遊技終了指定コマンドを受信していないと判定すると、Ｓ９０６〜Ｓ９１０の処理をスキップしてＳ９１２の処理に進む。次に、大当り遊技終了演出が終了したか否かを判定し（Ｓ９１２）、大当り遊技終了演出が終了したと判定すると、演出モード設定期間フラグがオンであれば演出モード設定期間フラグをオフとして（Ｓ９１４，Ｓ９１６）、大当り遊技演出処理を終了する。このように、大当り遊技終了演出中に、演出モード設定期間フラグをオンとして演出モード設定期間を発生させるから、大当り遊技終了演出を行っている間に、図３０の遊技中の演出モード設定処理で演出モード設定画像を表示して、遊技者に演出モードを設定させることができる。
【００９０】
この変形例では、大当り遊技終了演出中に演出モード設定期間を発生させたが、これに限られず、大当り遊技開始演出中に演出モード設定期間を発生させるものなど、大当り遊技が開始してから大当り遊技が終了するまでの間に演出モード設定期間を発生させて演出モードを設定可能となればよい。また、大当り遊技中の各ラウンドでラウンド演出が行われる場合には、そのラウンド演出中に演出モードを設定可能としてもよい。なお、本実施例において、ラウンド数が５ラウンドの大当り（第２の確変大当り）か、ラウンド数が１６ラウンドの大当り（第１の確変大当りや第１の通常大当り）かを遊技者に明示せずに大当り遊技を開始し、５ラウンドが終了するまでのラウンド演出で、５ラウンドを超えてラウンドが継続するか否かを判明させるいわゆる継続演出（ラウンド昇格演出）などを行う場合、そのラウンド演出中に演出ボタン２６や方向ボタン２６ａ，２６ｂの操作を伴うことがある。そのようなボタン操作を伴う演出中に演出モードを設定可能とすると、演出ボタン２６や方向ボタン２６ａ，２６ｂの機能が重複して処理が煩雑となる場合がある。したがって、そのようなボタン操作を伴う演出が行われる以外のラウンド演出中に、演出モード設定期間を発生させるものとすればよい。
【００９１】
この変形例では、今回の大当りが確変大当りである場合には常に演出モード設定期間を発生させたが、これに限られず、今回の大当りが確変大当りである場合に抽選処理を行い、抽選処理に当選した場合に演出モード設定期間を発生させてもよい。あるいは、確変大当りが発生した回数をカウントし、所定回数おきに演出モード設定期間を発生させてもよい。
【００９２】
この変形例では、今回の大当りが確変大当りであって大当り遊技終了後に高確率電サポあり状態が発生することを条件として演出モード設定期間を発生させたが、これに限られず、大当り遊技終了後に電サポあり状態（低確率電サポあり状態か高確率電サポあり状態）になることに基づいて演出モード設定期間を発生させるものであればよい。この場合、前述した実施例では、通常大当りと確変大当りのいずれも、大当り遊技終了後に電サポあり状態となるから、大当り遊技終了後に電サポあり状態とならない（電サポなし状態となる）大当り遊技を含むものとしてもよい。あるいは、大当り遊技終了後の状態がどのような状態になるかに拘わらず、大当り遊技が実行されることに基づいて、大当り遊技中に演出モード設定期間を発生させるものなどとしてもよい。
【００９３】
実施例のパチンコ機１０では、デモ演出中に遊技者が演出ボタン２６を操作することに基づいて演出モード設定期間を発生させて演出モードを設定可能としたが、これに限られず、遊技者からの指示に基づいて演出モードを設定可能とするものであればよい。例えば、デモ演出中に遊技者が球貸ボタン２４ａを操作することに基づいて演出モードを設定可能としてもよい。あるいは、そのようなボタンの操作に限られず、非接触式のセンサを演出表示装置３４内やセンター役物４９内に設けておき、遊技者の動作（手をかざすなど）により非接触式のセンサがオンとなったことに基づいて演出モードを設定可能としてもよい。さらに、サブ制御基板９０がマイクからの音声を入力可能に構成しておき、デモ演出中に遊技者からの音声指示を受け付けたときに演出モードを設定可能としてもよい。
【００９４】
実施例のパチンコ機１０では、演出モードとして４つの演出モードを有するものとしたが、これに限られず、２以上の複数の演出モードを有するものであればよい。また、各演出モードは、背景色と予告演出とが異なるものとしたが、これに限られず、リーチ演出が異なってもよいし、登場するキャラクタが異なってもよいし、演出図柄の表示態様が異なってもよい。例えば、３つの演出モードを有し、各演出モードでリーチ演出が異なる場合、第１演出モードでは、味方キャラクタと敵キャラクタとがバトルを行う「バトルリーチ演出」が行われ、第２演出モードでは、実写のキャラクタによる回想ストーリが展開される「実写ストーリリーチ演出」が行われ、第３演出モードでは、デフォルメされたアニメキャラクタによるコミカルなストーリが展開される「アニメストーリリーチ演出」が行われるものなどとしてもよい。
【００９５】
また、実施例では、遊技ホールの島設備から供給される遊技球を「貸球」や「賞球」として利用し、遊技盤に設けられた各種入賞口（第１始動口、第２始動口、大入賞口等）への遊技球の入球に応じて所定数の賞球を払い出すことによって、遊技上の利益（遊技価値）を遊技者に付与する遊技機（パチンコ機）に本発明を適用した例を説明したが、「賞球の払い出し」とは異なる形態で遊技上の利益を付与するタイプの遊技機にも、本発明を適用することができる。例えば、各種入賞口への遊技球の入球が発生することで、その入球に対応する利益の量（遊技価値の大きさ）を示すデータを主制御部あるいは払出制御部のＲＡＭ（遊技価値管理制御部）に記憶することによって、遊技上の利益（遊技価値）を遊技者に付与するタイプの遊技機にも本発明を適用することができ、この場合にも、上記実施例と同様の効果を得ることができる。もちろん、遊技価値管理制御部が管理する遊技価値として、遊技の結果得られた遊技価値と、現金等を投入することで得られた遊技価値とを別に管理（別途に表示）してもよいし、一緒に管理（加減算して表示）してもよい（別表示と加減算表示の両方をしてもよい）。なお、遊技上の利益（遊技価値）をデータ化して遊技者に付与するタイプの遊技機としては、遊技機に内蔵された複数個の遊技球を循環させて使用する遊技機、具体的には、各種入賞口あるいはアウト口を経て遊技盤の裏面に排出された遊技球を、再度、発射位置に戻して発射するように構成された遊技機（いわゆる封入式遊技機）を例示できる。
【００９６】
実施例の主要な要素と課題を解決するための手段の欄に記載した発明の主要な要素との対応関係について説明する。実施例では、パチンコ機１０が「遊技機」に相当し、図２２の大当り遊技終了時処理のＳ４５２〜Ｓ４６４の処理を実行する主制御基板７０のＣＰＵ７０ａが「特定状態設定手段」に相当し、図１７の変動パターンテーブル設定処理のＳ３３０，Ｓ３３４〜Ｓ３３８，Ｓ３４２の処理を実行する主制御基板７０のＣＰＵ７０ａと図２８の図柄変動演出処理のＳ７０８〜Ｓ７１２の処理を実行するサブ制御基板９０のＣＰＵ９０ａが「設定期間発生手段」に相当する。また、第１始動口３６が「第１始動口」に相当し、第２始動口３８が「第２始動口」に相当し、図９の主制御処理のＳ１２０の普通図柄遊技処理を実行する主制御基板７０のＣＰＵ７０ａが「高頻度状態発生手段」に相当し、図１０の特別図柄遊技処理を実行する主制御基板７０のＣＰＵ７０ａとＲＡＭ７０ｃとが「取得情報記憶手段」に相当し、図１１の特別図柄遊技処理を実行する主制御基板７０のＣＰＵ７０ａが「変動表示手段」に相当する。また、主制御基板７０のＣＰＵ７０ａが図１１の特別図柄遊技処理のＳ２２６〜Ｓ２３６の処理を実行することにより、「第２取得情報に基づく識別情報の変動表示を、第１取得情報に基づく識別情報の変動表示に優先して実行可能」となり、主制御基板７０のＣＰＵ７０ａが図１３の変動表示関連処理のＳ３０８，Ｓ３１０の処理で図１５，図１６の大当り図柄決定テーブルを用いて大当り図柄を決定することにより、「第２取得情報に基づく遊技の進行態様が、第１取得情報に基づく遊技の進行態様よりも遊技者にとって有利」となっている。なお、実施例の主要な要素と課題を解決するための手段の欄に記載した発明の主要な要素との対応関係は、実施例が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行われるべきものであり、実施例は課題を解決するための手段の欄に記載した発明の具体的な一例に過ぎないものである。
【００９７】
以上、本発明の実施の形態について実施例を用いて説明したが、本発明はこうした実施例に何等限定されるものではなく、本発明の要旨を逸脱しない範囲内において、種々なる形態で実施し得ることは勿論である。
【符号の説明】
【００９８】
１０  パチンコ機、１１  前面枠、１２  ガラス板、１４  上受け皿、１６  下受け皿、１８  発射ハンドル、１８ａ  タッチセンサ、１８ｂ  発射停止スイッチ、１９  発射モータ、２１  本体枠、２２  外枠、２４ａ  球貸ボタン、２４ｂ  返却ボタン、２６  演出ボタン、２６ａ，２６ｂ  方向ボタン、２７  演出ボタン操作検知スイッチ、２７ａ，２７ｂ  方向ボタン操作検知スイッチ、２８ａ，２８ｂ  スピーカ、２９  施錠装置、３０  遊技盤、３１  遊技領域、３１ａ  外レール、３１ｂ  内レール、３２  普通図柄作動ゲート、３２ａ  ゲートスイッチ、３４  演出表示装置、３４Ｌ，３４Ｍ，３４Ｒ  演出図柄、３５ａ  第１保留図柄、３５ｂ  第２保留図柄、３６  第１始動口、３６ａ  第１始動口スイッチ、３８  第２始動口、３８ａ  第２始動口スイッチ、３８ｂ  第２始動口ソレノイド、３８ｃ  翼片部、４０  図柄表示装置、４０ａ  図柄表示基板、４１  普通図柄表示装置、４１ａ  左普通図柄表示部、４１ｂ  右普通図柄表示部、４２  特別図柄表示装置、４２ａ  第１特別図柄表示部、４２ｂ  第２特別図柄表示部、４３  ラウンド表示部、４４  大入賞口、４４ａ  大入賞口スイッチ、４４ｂ   大入賞口ソレノイド、４４ｃ  開閉板、４５  一般入賞口、４５ａ  一般入賞口スイッチ、４６  アウト口、４７  風車、４９  センター役物、７０  主制御基板、７０ａ  ＣＰＵ、７０ｂ  ＲＯＭ、７０ｃ  ＲＡＭ、７２  中継端子板、８０  払出制御基板、８１  枠開放スイッチ、８２  球貸表示基板、８３  中継端子板、８４  払出前スイッチ、８５  払出後スイッチ、８６  払出モータ、８７  中継端子板、９０  サブ制御基板、９０ａ  ＣＰＵ、９０ｂ  ＲＯＭ、９０ｃ  ＲＡＭ、９１  演出表示制御基板、９２  アンプ基板、９３  装飾駆動基板、９３ａ  ＬＥＤランプ、９３ｂ  装飾モータ、９４  演出ボタン基板、１００  発射制御基板、１０２  下受け皿満タンスイッチ。
【図１】
0005939229.tif 000002
【図２】
0005939229.tif 000003
【図３】
0005939229.tif 000004
【図４】
0005939229.tif 000005
【図５】
0005939229.tif 000006
【図６】
0005939229.tif 000007
【図７】
0005939229.tif 000008
【図８】
0005939229.tif 000009
【図９】
0005939229.tif 000010
【図１０】
0005939229.tif 000011
【図１１】
0005939229.tif 000012
【図１２】
0005939229.tif 000013
【図１３】
0005939229.tif 000014
【図１４】
0005939229.tif 000015
【図１５】
0005939229.tif 000016
【図１６】
0005939229.tif 000017
【図１７】
0005939229.tif 000018
【図１８】
0005939229.tif 000019
【図１９】
0005939229.tif 000020
【図２０】
0005939229.tif 000021
【図２１】
0005939229.tif 000022
【図２２】
0005939229.tif 000023
【図２３】
0005939229.tif 000024
【図２４】
0005939229.tif 000025
【図２５】
0005939229.tif 000026
【図２６】
0005939229.tif 000027
【図２７】
0005939229.tif 000028
【図２８】
0005939229.tif 000029
【図２９】
0005939229.tif 000030
【図３０】
0005939229.tif 000031
【図３１】
0005939229.tif 000032
【図３２】
0005939229.tif 000033